(57)【要約】  本発明は、回線交換のプロトコルフレーム信号とパケット通信Ｓネットワークへの呼制御信号との相互接続を実現し、端末が移動しても音声通信を継続可能とするゲートウェイ装置、方法、システムを提供する。モバイル回線交換ネットワーク（１３０）とパケット通信ネットワーク（ＩＭＳネットワーク１４０）との間に配置され回線交換のプロトコルとパケット通信上のプロトコルとを相互に変換し音声通信を行うゲートウェイ装置（１１０）は、パケット通信ネットワーク側の先のネットワーク（１３５）に接続される携帯端末（１５０）がロケーションを移動した場合に携帯端末（１５０）に向けてパケット通信ネットワーク（１４０）に対して出力するパケットにおいてシーケンス番号又はタイムスタンプの少なくとも一つが携帯端末（１５０）の移動前と移動後で連続的に変化するように制御する（図１）。
2010079789.tif 000002
【特許請求の範囲】
【請求項１】
モバイル回線交換ネットワークとパケット通信ネットワークとの間に配置され、回線交換プロトコルとパケット通信プロトコルとを相互に変換し、音声通信を行うゲートウェイ装置であって、
前記パケット通信ネットワーク、又は、
前記パケット通信ネットワークの先のネットワーク
に接続される第１の端末がロケーションを移動した場合に、前記第１の端末に向け前記パケット通信ネットワークに対して出力するパケットにおいてシーケンス番号とタイムスタンプの少なくとも一つが、前記第１の端末の移動前と移動後で連続的に変化するように制御する手段を備えた、ことを特徴とするゲートウェイ装置。
【請求項２】
前記パケット通信ネットワークからパケットを受信して回線交換プロトコルに変換し前記変換後のプロトコルを前記モバイル回線交換ネットワークに出力するときに、前記第１の端末がロケーションを移動した場合に、
前記第１の端末の移動完了時に、
前記パケットを受信する受信バッファ、
ジッタバッファ、
タイムスタンプ、
シーケンス番号
の少なくとも一つをクリアした上で、前記パケットを受信するように制御する手段を備えた、ことを特徴とする請求項１記載のゲートウェイ装置。
【請求項３】
前記モバイル回線交換ネットワークに接続される第２の端末が、前記第１の端末と音声通信を行い、前記モバイル回線交換ネットワーク上でロケーションを移動した場合に、前記第１の端末に向け前記パケット通信ネットワークに対して出力するパケットにおいて、前記パケットのシーケンス番号とタイムスタンプの少なくとも一つが、前記第２の端末の移動前と移動後で、連続的に変化するように制御する手段を備えた、ことを特徴とする請求項１又は２記載のゲートウェイ装置。
【請求項４】
前記第２の端末が前記モバイル回線交換ネットワーク上でロケーションを移動した場合に、前記第２の端末に向け前記モバイル回線交換ネットワークに対して出力する回線交換プロトコル上のフレームの番号が、前記第２の端末の移動前と移動後で、連続的に変化するように制御する手段を備えた、ことを特徴とする請求項３記載のゲートウェイ装置。
【請求項５】
前記第２の端末と前記前記第１の端末の音声圧縮符号化方式が互いに異なる場合、音声圧縮符号化方式の変換を行う、ことを特徴とする請求項３又は４記載のゲートウェイ装置。
【請求項６】
呼制御部と変換部を備え、
前記変換部は、
制御・解析部と、
前記パケット通信ネットワークと前記モバイル回線交換ネットワークのプロトコル変換を行うプロトコル変換部と、
前記パケット通信ネットワーク向けのパケットのシーケンス番号とタイムスタンプ変更を変更するシーケンス番号・タイムスタンプ変更部と、
送信データをパケット化するパケット化部と、
前記パケット通信ネットワークからの受信パケットを受信するパケット受信部と、
受信パケットの遅延のゆらぎを取り除くジッタバッファ部と、
を備え、
前記呼制御部は、前記パケット通信ネットワークと前記モバイル回線交換ネットワークの一方のネットワークから受信した呼制御信号を他方のネットワークの呼制御信号に変換して他方のネットワークに出力し、
前記第１の端末のロケーションに関する情報を受信し前記第１の端末の移動により前記ゲートウェイ装置から前記パケット通信ネットワーク側に送出する該当チャネルのパケットのＩＰアドレスが変更となるか否かを判別し、
該当チャネルのパケットのＩＰアドレスが変更になる場合、送出先ＩＰアドレス変更指示を、前記パケット化部に出力するとともに、移動完了通知を、前記シーケンス番号・タイムスタンプ変更部に出力し、
さらに、前記モバイル回線交換ネットワークと前記パケット通信ネットワークから入力した呼制御信号の情報を前記変換部の前記制御・解析部に出力し、
前記制御・解析部は、前記呼制御部から入力した情報に基づき、プロトコル変換の必要の有無を判別し、プロトコル変換が必要な場合には、変換情報を、チャネル毎に、前記プロトコル変換部に出力し、
前記シーケンス番号・タイムスタンプ変更部は、一つ前のシーケンス番号又はタイムスタンプを保持しておき、前記第１の端末が移動してＩＰアドレスが変更になった場合には、前記制御・解析部から移動完了通知を入力し、移動完了通知時に異なるＩＰアドレスあてに送出するパケットのシーケンス番号又はタイムスタンプが、前記保持しておいたシーケンス番号又はタイムスタンプと連続的に変化するように設定し、
前記パケット化部は、前記第１の端末が移動してＩＰアドレスが変更になる場合には、変更後のＩＰアドレスを、前記制御・解析部から入力し、前記変更後のＩＰアドレスあてにパケットを送出する、ことを特徴とする請求項１記載のゲートウェイ装置。
【請求項７】
前記呼制御部は、前記第１の端末のロケーションに関する情報を受信し、前記第１の端末の移動により前記パケット通信ネットワーク側から受信する該当チャネルのパケットの送出元ＩＰアドレスが変更になるかどうかを判別し、
送出元ＩＰアドレスが変更になる場合は、前記呼制御部は、送出元ＩＰアドレス変更指示を前記パケット受信部に出力するとともに、移動完了通知を前記ジッタバッファ部に出力し、
前記パケット受信部は、前記パケット通信ネットワークからパケットを受信し、前記第１の端末が移動することにより、送出元ＩＰアドレスが変更になる場合には、前記制御・解析部から変更後のＩＰアドレスを入力し受信元の方路を切り替えた上でパケットを受信し、
前記ジッタバッファ部は、前記パケット受信部からパケットを入力し、前記第１の端末が移動してＩＰアドレスが変更になった場合には、前記制御・解析部から移動完了通知を入力し、移動完了通知受信時に、前記ジッタバッファ部又はタイムスタンプ又はシーケンス番号の少なくとも一つの内容をクリアした上で、前記パケット受信部からパケットを入力し、前記プロトコル変換部に出力する、ことを特徴とする請求項６記載のゲートウェイ装置。
【請求項８】
前記パケット通信ネットワークが、ＩＭＳ（ＩＰ  Ｍｕｌｔｉｍｅｄｉａ  Ｓｕｂｓｙｓｔｅｍ）ネットワークを含み、
前記第１の端末は、前記ＩＭＳネットワークの先のモバイル回線交換ネットワークと接続される、ことを特徴とする請求項１乃至７のいずれか１項に記載のゲートウェイ装置。
【請求項９】
前記パケット通信ネットワークが、モバイル高速ネットワークを含み、
前記第１の端末は、前記モバイル高速ネットワークに接続される、ことを特徴とする請求項１乃至７のいずれか１項に記載のゲートウェイ装置。
【請求項１０】
回線交換により端末に接続されるモバイル回線交換ネットワークと、
パケット通信を行うパケット通信ネットワークと、
前記モバイル回線交換ネットワークと前記パケット通信ネットワークとの間に配置され、回線交換プロトコルとパケット通信プロトコルとを相互に変換し、音声通信を行うゲートウェイ装置と、
を備え、
前記ゲートウェイ装置が、
前記パケット通信ネットワーク、又は、
前記パケット通信ネットワークの先のネットワーク
に接続される第１の端末がロケーションを移動した場合に、前記第１の端末に向け前記パケット通信ネットワークに対して出力するパケットにおいて、シーケンス番号とタイムスタンプの少なくとも一つが、前記第１の端末の移動前と移動後で、連続的に変化するように制御する手段を備えた、ことを特徴とする通信システム。
【請求項１１】
モバイル回線交換ネットワークとパケット通信ネットワークとの間で回線交換のプロトコルとパケット通信プロトコルとを相互に変換し音声通信を行うゲートウェイ方法であって、
前記パケット通信ネットワーク、又は、
前記パケット通信ネットワークの先のネットワーク
に接続される第１の端末がロケーションを移動した場合に、前記第１の端末に向け前記パケット通信ネットワークに対して出力するパケットにおいて、シーケンス番号とタイムスタンプの少なくとも一つが、前記第１の端末の移動前と移動後で、連続的に変化するように制御する、ことを特徴とするゲートウェイ方法。
【請求項１２】
前記パケット通信ネットワークからパケットを受信して回線交換プロトコルに変換して前記変換後のプロトコルを前記モバイル回線交換ネットワークに出力するときに、前記パケット通信ネットワーク又は前記パケット通信ネットワークの先のネットワークに接続される前記第１の端末がロケーションを移動した場合に、
前記第１の端末の移動完了時に、
前記パケットを受信する受信バッファ、
ジッタバッファ、
タイムスタンプ、
シーケンス番号
の少なくとも一つをクリアした上で前記パケットを受信するように制御する、ことを特徴とする請求項１１記載のゲートウェイ方法。
【請求項１３】
前記モバイル回線交換ネットワークに接続される第２の端末が、前記第１の端末と通信を行い、前記モバイル回線交換ネットワーク上でロケーションを移動した場合に、前記第１の端末に向け前記パケット通信ネットワークに対して出力するパケットにおいて、前記パケットのシーケンス番号とタイムスタンプの少なくとも一つが、前記第２の端末の移動前と移動後で、連続的に変化するように制御する、ことを特徴とする請求項１１又は１２記載のゲートウェイ方法。
【請求項１４】
前記モバイル回線交換ネットワークに接続される前記第２の端末が前記モバイル回線交換ネットワーク上でロケーションを移動した場合に、前記第２の端末に向け前記モバイル回線交換ネットワークに対して出力する回線交換プロトコル上のフレームの番号が、前記端末の移動前と移動後で、連続的に変化するように制御する、ことを特徴とする請求項１３記載のゲートウェイ方法。
【請求項１５】
前記パケット通信ネットワークが、モバイル高速ネットワークを含み、前記第１の端末は、前記モバイル高速ネットワークに接続されるか、
前記パケット通信ネットワークが、ＩＭＳ（ＩＰ  Ｍｕｌｔｉｍｅｄｉａ  Ｓｕｂｓｙｓｔｅｍ）ネットワークを含み、前記第１の端末は、前記ＩＭＳネットワークの先のモバイル回線交換ネットワークと接続される、ことを特徴とする請求項１２乃至１４のいずれか１項に記載のゲートウェイ方法。
【発明の詳細な説明】
【技術分野】
【０００１】
（関連出願についての記載）
本発明は、日本国特許出願：特願２００９−００４０４７号（２００９年１月９日出願）並びに日本国特許出願：特願２００９−００４０４９号（２００９年１月９日出願）の優先権主張に基づくものであり、同出願の全記載内容は引用をもって本書に組み込み記載されているものとする。
本発明は、ゲートウェイに関し、特に、モバイル回線交換ネットワークとＩＭＳネットワークとの間に配置され音声通信を相互接続するゲートウェイ装置と方法及びシステムに関する。
【背景技術】
【０００２】
現在、第３世代のＷ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）技術をもちいる携帯電話端末及び携帯電話ネットワークでは、音声電話やＴＶ電話は回線交換ネットワークまたは回線交換のプロトコルを使用してサービスを実現している。【０００３】
一方、これらの音声サービスやＴＶ電話などのマルチメディアサービスをＩＰネットワーク上でＩＭＳ（ＩＰ  Ｍｕｌｔｉｍｅｄｉａ  Ｓｕｂｓｙｓｔｅｍ）を用いて実現する動きがあり、将来的にはＩＭＳネットワーク上でサービスが統合化される方向に進んでいる。ここで、ＩＭＳの構成は、３ＧＰＰ（Ｔｈｉｒｄ  ｇｅｎｅｒａｔｉｏｎ  Ｐａｒｔｎｅｒ  Ｐｒｏｊｅｃｔ）  ＴＳ２３．００２や３ＧＰＰ  ２３．２２８などを参照することができる。【０００４】
モバイルネットワークの高速・大容量技術の研究開発により、モバイルネットワークはＩＰをベースにして一層の高速化・大容量化を実現していく流れであり、現在すでに、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）、ＨＳＰＡ（Ｈｉｇｈ  Ｓｐｅｅｄ  Ｐａｃｋｅｔ  Ａｃｃｅｓｓ）、ＥＶＤＯ  Ｒｅｖ．Ａ、ＥＶＤＯ  Ｒｅｖ．Ｂ等が実用化されている。【０００５】
今後は、さらに高速伝送が可能で下り方向１００Ｍｂｐｓ（Ｍｅｇａ  ｂｉｔｓ／ｓｅｃ）、上り方向５０Ｍｂｐｓ以上を目指すＬＴＥ（Ｌｏｎｇ  Ｔｅｒｍ  Ｅｖｏｌｕｔｉｏｎ）、ＥＰＣ（Ｅｖｏｌｖｅｄ  Ｐａｃｋｅｔ  Ｃｏｒｅ）、ＵＭＡ（Ｕｌｔｒａ  Ｍｏｂｉｌｅ  Ａｃｃｅｓｓ）、モバイルＷｉＭａｘ等が導入されていく流れである。【０００６】
また、これらの伝送方式では、音声電話はＩＰベースのＶｏＩＰ（Ｖｏｉｃｅ  ｏｖｅｒ  ＩＰ）に進化していくと予想される。【０００７】
特許文献１には、ハンドオーバー中、モバイル端末は、第１のメディアゲートウェイＭＧ１から第２のメディアゲートウェイＭＧ２にスイッチし、ハンドオーバーの後、アンカーメディアゲートウェイＭＧ０は、第２のメディアゲートウェイＭＧ２から受信した基準値と、ハンドオーバーが発生していない場合に、第１のメディアゲートウェイから受信していた基準値との間の差を演算し、この差を使用して第２のメディアゲートウェイのシリーズを同期するために第２のメディアゲートウェイＭＧ２に戻され、第２のメディアゲートウェイＭＧ２では差分を受信し基準値を変更する構成が開示されている。特許文献１において、第１、第２のメディアゲートウェイＭＧ１、ＭＧ２とアンカーメディアゲートウェイＭＧ０の通信はＩＰネットワーク上で行われている。【０００８】
特許文献２には、無線基地局が移動交換局に伝送するパケットヘッダに無線チャネル上のマルチフレーム番号を付加することにより、移動局が送信した信号の順番を移動交換局において識別することが可能となり、ハンドオーバーに際して、移動交換局から公衆網へ伝送される情報の順番が間違うことを回避できるようにした移動通信システムの構成が開示されている。この移動通信システムでは、隣接する２つの無線基地局から１つの移動局に送信される各下り回線のフレーム内のタイムスロット情報に無線基地局が接続された移動交換局より一連の番号を与え、この一例の番号に基づいてハンドオーバー処理を行う。
【先行技術文献】
【特許文献】
【０００９】
【特許文献１】特開２００２−４４１４９号公報
【特許文献２】ＷＯ１９９９／０１７４６９（国際公開第１９９９／０１７４６９号パンフレット）
【発明の概要】
【発明が解決しようとする課題】
【００１０】
以下に本発明による関連技術の分析を与える。【００１１】
現在普及している回線交換のネットワークまたは回線交換のプロトコルで実現している音声電話サービスを、ＩＭＳネットワーク上で実現していく流れであるが、回線交換のプロトコルフレーム信号とＩＭＳネットワークへの呼制御信号との相互接続を実現するゲートウェイ装置は、これまで実現されていなかった。【００１２】
さらに、ゲートウェイを配置して相互接続を実現できたとしても、端末が移動してロケーションを移動した場合に、前記ゲートウェイ装置で対処を何もしなければ、端末の移動後に音声パケットの不連続や不要なパケットの送出により、端末で聞いている音声が不連続になったり、遅延が増えたり余分な雑音などが聞こえる等の問題があった。【００１３】
また音声電話がＩＰベースのＶｏＩＰへと進化する過渡期においては、例えば、今後普及するＬＴＥやＥＰＣ上で動作するＶｏＩＰ端末と既存の回線交換ネットワークで動作する端末とが混在することになり、既存回線交換ネットワークでの音声電話とＬＴＥやＥＰＣなどのモバイル高速ネットワークでのＶｏＩＰとを相互接続していく必要がある。【００１４】
しかしながら、これらの相互接続を可能にするためのゲートウェイ装置が存在せず、相互接続は実現困難であった。【００１５】
さらに、ゲートウェイを配置して相互接続を実現できたとしても、端末が移動してロケーションを移動した場合に、前記ゲートウェイ装置で対処を何もしなければ、端末の移動後に音声パケットの不連続や不要なパケットの送出により、端末で聞いている音声が不連続になったり、遅延が増えたり余分な雑音などが聞こえる、などの課題があった。【００１６】
本発明の目的は、回線交換のプロトコルフレーム信号とＩＭＳネットワークへの呼制御信号との相互接続を実現し、端末が移動しても音声通信を継続可能とするゲートウェイ装置、方法、システムを提供することにある。【００１７】
また本発明の目的は、モバイル回線交換ネットワークに接続された端末と、モバイル高速ネットワークに接続されたＶｏＩＰ端末との間の相互接続を可能として音声電話を実現可能とするとともに、端末が移動しても音声通信を継続可能とするゲートウェイ装置、方法、システムを提供することにある。
【課題を解決するための手段】
【００１８】
本発明によれば、モバイル回線交換ネットワークとパケット通信ネットワークとの間に配置され、回線交換プロトコルとパケット通信プロトコルとを相互に変換し、音声通信を行うゲートウェイ装置であって、
前記パケット通信ネットワーク、又は、
前記パケット通信ネットワークの先のネットワーク
に接続される第１の端末がロケーションを移動した場合に、前記第１の端末に向け前記パケット通信ネットワークに対して出力するパケットにおいてシーケンス番号とタイムスタンプの少なくとも一つが、前記第１の端末の移動前と移動後で連続的に変化するように制御する手段を備えたゲートウェイ装置が提供される。【００１９】
本発明によれば、回線交換により端末に接続されるモバイル回線交換ネットワークと、パケット通信を行うパケット通信ネットワークと、前記モバイル回線交換ネットワークと前記パケット通信ネットワークとの間に配置され、回線交換のプロトコルとＩＭＳ上のプロトコルとを相互に変換し、音声通信を行うゲートウェイ装置と、を備え、前記ゲートウェイ装置が、前記パケット通信ネットワーク、又は、
前記パケット通信ネットワークの先のネットワーク
に接続される第１の端末がロケーションを移動した場合に、前記第１の端末に向け、前記パケット通信ネットワークに対して出力するパケットにおいてシーケンス番号とタイムスタンプの少なくとも一つが、前記第１の端末の移動前と移動後で連続的に変化するように制御する手段を備えた通信システムが提供される。【００２０】
本発明によれば、モバイル回線交換ネットワークとパケット通信ネットワークとの間で回線交換のプロトコルとパケット通信プロトコルとを相互に変換し音声通信を行うゲートウェイ方法であって、前記パケット通信ネットワーク又は前記パケット通信ネットワークの先のネットワークに接続される第１の端末がロケーションを移動した場合に、前記第１の端末に向け、前記パケット通信ネットワークに対して出力するパケットにおいてシーケンス番号とタイムスタンプの少なくとも一つが、前記第１の端末の移動前と移動後で連続的に変化するように制御する、ゲートウェイ方法が提供される。【００２１】
本発明によれば、モバイル回線交換ネットワークとＩＭＳ（ＩＰ  Ｍｕｌｔｉｍｅｄｉａ  Ｓｕｂｓｙｓｔｅｍ）ネットワークとの間に配置し回線交換のプロトコルとＩＭＳ上のプロトコルとを相互に変換し音声通信を行うゲートウェイ装置であって、前記ＩＭＳネットワーク側の先に接続される端末がロケーションを移動した場合に前記ＩＭＳネットワークに対して出力するパケットにおいてはシーケンス番号またはタイムスタンプの少なくとも一つが前記端末の移動前と移動後で連続的に変化するようにしたゲートウェイ装置が提供される。本発明によれば、モバイル回線交換ネットワークとＩＭＳ（ＩＰ  Ｍｕｌｔｉｍｅｄｉａ  Ｓｕｂｓｙｓｔｅｍ）ネットワークとの間に配置され回線交換のプロトコルとＩＭＳ上のプロトコルとを相互に変換し音声通信を行うゲートウェイ装置であって、前記ＩＭＳネットワークからパケットを受信して回線交換プロトコルに変換し前記変換後のプロトコルを前記モバイル回線交換ネットワークに出力するときに、前記ＩＭＳネットワーク側の先に接続される端末がロケーションを移動した場合に、
前記端末の移動完了時に、
前記パケットを受信する受信バッファ、
ジッタバッファ、
タイムスタンプ、
シーケンス番号
の少なくとも一つをクリアした上で、前記パケットを受信するように制御する手段を備えたゲートウェイ装置が提供される。【００２２】
本発明によれば、モバイル回線交換ネットワークとＩＭＳ（ＩＰ  Ｍｕｌｔｉｍｅｄｉａ  Ｓｕｂｓｙｓｔｅｍ）ネットワークとの間に配置され回線交換のプロトコルとＩＭＳ上のプロトコルとを相互に変換し音声通信を行うゲートウェイ装置であって、前記モバイル回線交換ネットワークに接続される端末が前記モバイル回線交換ネットワーク上でロケーションを移動した場合に、
前記ＩＭＳネットワークに対して出力するパケットにおいて前記パケットのシーケンス番号とタイムスタンプの少なくとも一つが前記端末の移動前と移動後で連続的に変化するように制御する手段を備えたゲートウェイ装置が提供される。【００２３】
本発明によれば、モバイル回線交換ネットワークとＩＭＳ（ＩＰ  Ｍｕｌｔｉｍｅｄｉａ  Ｓｕｂｓｙｓｔｅｍ）ネットワークとの間に配置され回線交換のプロトコルとＩＭＳ上のプロトコルとを相互に変換し音声通信を行うゲートウェイ装置であって、
前記モバイル回線交換ネットワークに接続される端末が前記モバイル回線交換ネットワーク上でロケーションを移動した場合に、
前記モバイル回線交換ネットワークに対して出力するＩｕＵＰ（Ｉｕ  Ｕｓｅｒ  Ｐｌａｎｅ）プロトコル上のフレーム番号が、前記端末の移動前と移動後で連続的に変化するように制御する手段を備えたゲートウェイ装置が提供される。【００２４】
本発明によれば、モバイル回線交換ネットワークとＩＭＳネットワークとの間で回線交換のプロトコルとＩＭＳ上のプロトコルとを相互に変換し音声通信を行うゲートウェイ方法であって、
前記ＩＭＳネットワーク側の先に接続される端末がロケーションを移動した場合に、
前記ＩＭＳネットワークに対して出力するパケットにおいてシーケンス番号とタイムスタンプの少なくとも一つが、前記端末の移動前と移動後で連続的に変化するように制御するゲートウェイ方法が提供される。【００２５】
本発明によれば、モバイル回線交換ネットワークとＩＭＳネットワークとの間で回線交換のプロトコルとＩＭＳ上のプロトコルとを相互に変換し音声通信を行うゲートウェイ方法であって、
前記ＩＭＳネットワークからパケットを受信して回線交換プロトコルに変換して前記変換後のプロトコルを前記モバイル回線交換ネットワークに出力するときに、
前記ＩＭＳネットワーク側の先に接続される端末がロケーションを移動した場合に、
前記端末の移動完了時に、
前記パケットを受信する受信バッファ、
ジッタバッファ、
タイムスタンプ、
シーケンス番号
の少なくとも一つをクリアした上で前記パケットを受信するように制御するゲートウェイ方法が提供される。【００２６】
本発明によれば、モバイル回線交換ネットワークとＩＭＳネットワークとの間で回線交換のプロトコルとＩＭＳ上のプロトコルとを相互に変換し音声通信を行うゲートウェイ方法であって、
前記モバイル回線交換ネットワークに接続される端末が前記モバイル回線交換ネットワーク上でロケーションを移動した場合に、
前記ＩＭＳネットワークに対して出力するパケットにおいて前記パケットのシーケンス番号とタイムスタンプの少なくとも一つが前記端末の移動前と移動後で連続的に変化するように制御するゲートウェイ方法が提供される。【００２７】
本発明によれば、モバイル回線交換ネットワークとＩＭＳネットワークとの間で回線交換のプロトコルとＩＭＳ上のプロトコルとを相互に変換し音声通信を行うゲートウェイ方法であって、
前記モバイル回線交換ネットワークに対して出力するＩｕＵＰ（Ｉｕ  Ｕｓｅｒ  Ｐｌａｎｅ）プロトコル上のフレーム番号が前記端末の移動前と移動後で連続的に変化するように制御する、ゲートウェイ方法が提供される。【００２８】
本発明によれば、モバイル回線交換ネットワークとＩＭＳネットワークとの間に配置し回線交換のプロトコルとＩＭＳ上のプロトコルとを相互に変換し音声通信を行うゲートウェイ装置に、前記ＩＭＳネットワーク側の先に接続される端末がロケーションを移動した場合に前記ＩＭＳネットワークに対して出力するパケットにおいてはシーケンス番号またはタイムスタンプの少なくとも一つが前記端末の移動前と移動後で連続的に変化するように制御する処理を実行させるプログラムが提供される。【００２９】
本発明によれば、モバイル回線交換ネットワークとＩＭＳネットワークとの間に配置され回線交換のプロトコルとＩＭＳ上のプロトコルとを相互に変換し音声通信を行うゲートウェイ装置を構成するコンピュータに、前記ＩＭＳネットワークからパケットを受信して回線交換プロトコルに変換して前記変換後のプロトコルを前記モバイル回線交換ネットワークに出力するときに、
前記ＩＭＳネットワーク側の先に接続される端末がロケーションを移動した場合に、
前記端末の移動完了時に、
前記パケットを受信する受信バッファ、
ジッタバッファ、
タイムスタンプ、
シーケンス番号
の少なくとも一つをクリアした上で、前記パケットを受信するように制御する処理を実行させるプログラムが提供される。【００３０】
本発明によれば、モバイル回線交換ネットワークとＩＭＳネットワークとの間に配置され回線交換のプロトコルとＩＭＳ上のプロトコルとを相互に変換し音声通信を行うゲートウェイ装置を構成するコンピュータに、前記モバイル回線交換ネットワークに接続される端末が前記モバイル回線交換ネットワーク上でロケーションを移動した場合に、前記ＩＭＳネットワークに対して出力するパケットにおいて前記パケットのシーケンス番号とタイムスタンプの少なくとも一つが前記端末の移動前と移動後で連続的に変化するように制御する処理を実行させるプログラムが提供される。【００３１】
本発明によれば、モバイル回線交換ネットワークとＩＭＳネットワークとの間に配置され回線交換のプロトコルとＩＭＳ上のプロトコルとを相互に変換し音声通信を行うゲートウェイ装置を構成するコンピュータに、
前記モバイル回線交換ネットワークに接続される端末が前記モバイル回線交換ネットワーク上でロケーションを移動した場合に、前記モバイル回線交換ネットワークに対して出力するＩｕＵＰ（Ｉｕ  Ｕｓｅｒ  Ｐｌａｎｅ）プロトコル上のフレーム番号が、前記端末の移動前と移動後で連続的に変化するように制御する処理を実行させるプログラムが提供される。【００３２】
本発明によれば、モバイル回線交換ネットワークとＩＭＳ（ＩＰ  Ｍｕｌｔｉｍｅｄｉａ  Ｓｕｂｓｙｓｔｅｍ）ネットワークとの間に配置されるゲートウェイ装置にのみ限定されるものでなく、モバイル高速ネットワークとモバイル回線交換ネットワークとの間に配置され回線交換のプロトコルとパケット上のプロトコルとを相互に変換し音声通信を行うゲートウェイ装置に対しても同様にして適用することができる。本発明によれば、モバイル高速ネットワークとモバイル回線交換ネットワークとの間に配置し回線交換のプロトコルとパケット上のプロトコルとを相互に変換し音声通信を行うゲートウェイ装置であって、前記モバイル高速ネットワークに接続する一方の端末が前記モバイル高速ネットワーク上でロケーションを移動した場合に前記モバイル高速ネットワークに対して出力するパケットにおいては前記パケットのシーケンス番号とタイムスタンプの少なくとも一つが前記端末の移動前と移動後で連続的に変化するように制御する手段を備えたゲートウェイ装置が提供される。【００３３】
本発明によれば、モバイル高速ネットワークとモバイル回線交換ネットワークとの間に配置し回線交換のプロトコルとパケット上のプロトコルとを相互に変換し音声通信を行うゲートウェイ装置であって、前記モバイル高速ネットワークに接続する一方の端末が前記モバイル高速ネットワーク上でロケーションを移動した場合に前記モバイル高速ネットワークからパケットを受信してプロトコルを変換して前記変換後のプロトコルを前記モバイル回線交換ネットワークに出力するときに、前記端末の移動完了時に前記パケットを受信する受信バッファまたはタイムスタンプまたはシーケンス番号の少なくとも一つをクリアした上で前記パケットを受信するように制御する手段を備えたゲートウェイ装置が提供される。【００３４】
本発明によれば、モバイル高速ネットワークとモバイル回線交換ネットワークとの間に配置し回線交換のプロトコルとパケット上のプロトコルとを相互に変換し音声通信を行うゲートウェイ装置であって、片方の端末が前記モバイル回線交換ネットワーク上でロケーションを移動した場合に前記モバイル回線交換ネットワークに対して出力する回線交換プロトコル上のフレーム番号が前記端末の移動前と移動後で連続的に変化するように制御する手段を備えたゲートウェイ装置が提供される。【００３５】
本発明によれば、モバイル高速ネットワークとモバイル回線交換ネットワークとの間で回線交換のプロトコルとパケット上のプロトコルとを相互に変換し音声通信を行うゲートウェイ方法であって、
前記モバイル高速ネットワークに接続する端末が前記モバイル高速ネットワーク上でロケーションを移動した場合に、
前記モバイル高速ネットワークに対して出力するパケットにおいて前記パケットのシーケンス番号とタイムスタンプの少なくとも一つが、前記端末の移動前と移動後で連続的に変化するようにしたゲートウェイ方法が提供される。【００３６】
本発明によれば、モバイル高速ネットワークとモバイル回線交換ネットワークとの間で回線交換のプロトコルとパケット上のプロトコルとを相互に変換し音声通信を行うゲートウェイ方法であって、
前記モバイル高速ネットワークに接続する端末が前記モバイル高速ネットワーク上でロケーションを移動した場合に、
前記モバイル高速ネットワークからパケットを受信してプロトコルを変換して前記変換後のプロトコルを前記モバイル回線交換ネットワークに出力するときに、前記端末の移動完了時に、
前記端末からパケットを受信する受信バッファ、
タイムスタンプ、
シーケンス番号
の少なくとも一つをクリアした上で前記パケットを受信するようにしたゲートウェイ方法が提供される。【００３７】
本発明によれば、モバイル高速ネットワークとモバイル回線交換ネットワークとの間で回線交換のプロトコルとパケット上のプロトコルとを相互に変換し音声通信を行うゲートウェイ方法であって、
前記モバイル回線交換ネットワークに接続する端末が前記モバイル回線交換ネットワーク上でロケーションを移動した場合に前記モバイル回線交換ネットワークに対して出力する回線交換プロトコル上のフレーム番号が前記端末の移動前と移動後で連続的に変化するようにしたゲートウェイ方法が提供される。【００３８】
本発明によれば、モバイル高速ネットワークとモバイル回線交換ネットワークとの間に配置され回線交換のプロトコルとパケット上のプロトコルとを相互に変換し音声通信を行うゲートウェイ装置を構成するコンピュータに、
前記モバイル高速ネットワークに接続する端末が前記モバイル高速ネットワーク上でロケーションを移動した場合に、
前記モバイル高速ネットワークに対して出力するパケットにおいて前記パケットのシーケンス番号とタイムスタンプの少なくとも一つが、前記端末の移動前と移動後で連続的に変化するように制御する処理を実行させるプログラムが提供される。【００３９】
本発明によれば、モバイル高速ネットワークとモバイル回線交換ネットワークとの間に配置され回線交換のプロトコルとパケット上のプロトコルとを相互に変換し音声通信を行うゲートウェイ装置を構成するコンピュータに、
前記モバイル高速ネットワークに接続する端末が前記モバイル高速ネットワーク上でロケーションを移動した場合に、
前記モバイル高速ネットワークからパケットを受信してプロトコルを変換して前記変換後のプロトコルを前記モバイル回線交換ネットワークに出力するときに、前記端末の移動完了時に、
前記端末からパケットを受信する受信バッファ、
タイムスタンプ、
シーケンス番号
の少なくとも一つをクリアした上で前記パケットを受信するように制御する処理を実行させるプログラムが提供される。【００４０】
本発明によれば、モバイル高速ネットワークとモバイル回線交換ネットワークとの間に配置され回線交換のプロトコルとパケット上のプロトコルとを相互に変換し音声通信を行うゲートウェイ装置を構成するコンピュータに、
前記モバイル回線交換ネットワークに接続する端末が前記モバイル回線交換ネットワーク上でロケーションを移動した場合に、
前記モバイル回線交換ネットワークに対して出力する回線交換プロトコル上のフレーム番号が前記端末の移動前と移動後で連続的に変化するように制御する処理を実行させるプログラムが提供される。
【発明の効果】
【００４１】
本発明によれば、回線交換のプロトコルフレーム信号とＩＭＳネットワークへの呼制御信号との相互接続を実現し、端末が移動しても音声通信を継続可能とする。【００４２】
本発明によれば、モバイル回線交換ネットワークに接続された端末と、モバイル高速ネットワークに接続されたＶｏＩＰ端末との間の相互接続を可能として音声電話を実現可能とするとともに、端末が移動しても音声通信を継続可能としている。
【図面の簡単な説明】
【００４３】
【図１】本発明の第１の実施例のシステム構成を示す図である。
【図２】本発明の第１の実施例のゲートウェイ装置の構成（その１）を示す図である。
【図３】本発明の第１の実施例のゲートウェイ装置の構成（その２）を示す図である。
【図４】本発明の第２の実施例のシステム構成を示す図である。
【図５】本発明の第２の実施例のゲートウェイ装置の構成を示す図である。
【図６】本発明の第３の実施例のゲートウェイ装置の構成（その１）を示す図である。
【図７】本発明の第３の実施例のゲートウェイ装置の構成（その２）を示す図である。
【図８】本発明の第４の実施例のシステム構成を示す図である。
【図９】本発明の第５の実施例のシステム構成を示す図である。
【発明を実施するための形態】
【００４４】
本発明の実施の形態について説明する。本発明のゲートウェイ装置は、回線交換のネットワークまたは回線交換プロトコルを使用して実現している音声電話サービスをＩＭＳコアネットワークに接続してＩＭＳが提供するサービスの枠組みの中で音声電話サービスを実現する。本発明のゲートウェイ装置は、ＩＭＳネットワーク側の先に接続される端末がロケーションを移動した場合に、前記ＩＭＳネットワークに対して出力するパケットにおいてはシーケンス番号またはタイムスタンプの少なくとも一つが前記端末の移動前と移動後で連続的に変化するように制御する。このため、端末が移動してロケーションが変化した場合であっても、端末の移動後に、音声パケットの不連続や不要なパケットの送出により端末で聴いている音声が不連続になったり、遅延が増えたり、余分な雑音などが聞こえる等の問題を解消することができる。
【００４５】
本発明のゲートウェイ装置は、モバイル高速ネットワークとモバイル回線交換ネットワークとの間に配置し回線交換のプロトコルとパケット上のプロトコルとを相互に変換し音声通信を行う。本発明のゲートウェイ装置は、音声通信する端末のうち片方の端末がモバイル高速ネットワーク上でロケーションを移動した場合に、前記モバイル高速ネットワークに対して出力するパケットにおいて、前記パケットのシーケンス番号とタイムスタンプの少なくとも一つが前記端末の移動前と移動後で連続的に変化するように制御する。本発明によれば、端末が移動してロケーションが変化した場合に、音声が不連続になったり、遅延が増えたり、余分な雑音などが聞こえる、等の問題点を、解消することができる。以下実施例に即して説明する。
【実施例１】
【００４６】
図１は、本発明の一実施の形態におけるゲートウェイ装置のネットワーク構成と接続形態を示す図である。図１を参照すると、携帯端末１２０は、モバイル回線交換ネットワークに接続される既存の音声電話端末である。携帯端末１２０は、モバイル回線交換ネットワーク１３０に接続され、例えばＡＭＲ（Ａｄａｐｔｉｖｅ  Ｍｕｌｔｉ−Ｒａｔｅ）音声コーデックを搭載し、音声信号を１２．２  ｋｂｐｓ(キロビット／秒)のビットレートで圧縮符号化して得たビットストリームを送受信する。ここで、ＡＭＲ音声コーデックの詳細は例えば３ＧＰＰ  ＴＳ２６．０９０規格などを参照することができる。【００４７】
モバイル回線交換ネットワーク１３０では、基地局ＮｏｄｅＢや無線ネットワーク制御装置ＲＮＣ（Ｒａｄｉｏ  Ｎｅｔｗｏｒｋ  Ｃｏｎｔｒｏｌｌｅｒ）において、ＡＭＲストリームを、ＩｕＵＰ（Ｉｕ  Ｕｓｅｒ  Ｐｌａｎｅ）回線交換プロトコルに格納した形式で送受信する。また、呼処理信号として、モバイル回線交換ネットワーク１３０で使用される呼処理信号を出力する。ここで、ＩｕＵＰプロトコルは３ＧＰＰ  ＴＳ２５．４１５規格などを参照することができる。【００４８】
ゲートウェイ装置１１０は、モバイル回線交換ネットワーク１３０およびＩＭＳネットワーク１４０の両方に接続し、両者の間の音声通信を相互接続する。すなわち、呼制御信号と音声データに関するプロトコルの両者を変換することにより相互接続する。【００４９】
携帯端末同士の音声電話の場合は、ＩＭＳネットワーク１４０の先に、相手の携帯端末が属する側のゲートウェイ装置１１５（これはゲートウェイ装置１１０とミラー構成で入出力が逆になっているのみで動作は同じ）およびモバイル回線交換ネットワーク１３５および相手側の携帯端末１５０がつながっている。【００５０】
携帯端末１５０は、携帯端末１２０と同様に、例えばＡＭＲ音声コーデックを搭載し、音声信号を例えば１２．２ｋｂｐｓ（キロビット／秒）のビットレートで圧縮符号化してビットストリームを生成して出力する。【００５１】
図１において、もともと携帯端末１２０と携帯端末１５０が音声通信していたが、携帯端末１５０は、モバイル回線交換ネットワーク１３５上を移動して、ロケーションが変更になり、便宜上、１５５になったが、移動後も携帯端末１５５と携帯端末１２０の間で音声通信を継続している場合の構成を示している。【００５２】
図２、図３は、図１のゲートウェイ装置１１０の構成を示す図である。図２は、音声データがモバイル回線交換ネットワーク１３０からＩＭＳネットワーク１４０への方向に転送されていく場合の構成を示している。図２を参照すると、ゲートウェイ装置１１０は、呼制御部１６０と変換部１７０を備えている。変換部１７０は、制御・解析部１７２、プロトコル変換部１７５、ＳＮ・ＴＳ変更部１７８、パケット化部１７６を備えている。【００５３】
図３は、音声データがＩＭＳネットワーク１４０からモバイル回線交換ネットワーク１３０への方向に転送されていく場合の構成を示している。図３を参照すると、変換部１７０は、制御・解析部１７２と、プロトコル変換部１７５と、ジッタバッファ部１７７、パケット受信部１７９を備えている。なお、図１のゲートウェイ装置１１５は、前述したように、ゲートウェイ装置１１０と動作は同じで入出力が逆になっているのみであるため、説明は省略する。図２、図３において、呼制御部１６０と変換部１７０（制御・解析部１７２、プロトコル変換部１７５、ＳＮ・ＴＳ変更部１７８、パケット化部１７６、ジッタバッファ部１７７、パケット受信部１７９）の処理・機能は、ゲートウェイ装置１１０を構成するコンピュータで実行されるプログラムにより実現するようにしてもよい。【００５４】
図１及び図２を参照して、モバイル回線交換ネットワーク１３０からＩＭＳネットワーク１４０の方向の構成を説明する。【００５５】
図２において、呼制御部１６０は、ＩＭＳネットワーク１４０から呼制御信号（例えばＳＩＰ（Ｓｅｓｓｉｏｎ  Ｉｎｉｔｉａｔｉｏｎ  Ｐｒｏｔｏｃｏｌ）およびＳＤＰ（Ｓｅｓｓｉｏｎ  Ｄｅｓｃｒｉｐｔｉｏｎ  Ｐｒｏｔｏｃｏｌ））を受信し、回線交換の呼制御信号に変換してモバイル回線交換ネットワーク１３０に出力する。また、逆方向の変換を行い、モバイル回線交換ネットワーク１３０から受信した回線交換の呼制御信号を例えばＳＩＰやＳＤＰ信号に変換して、ＩＭＳネットワーク１４０に出力する。ここで、ＳＩＰやＳＤＰについては、例えばＩＥＴＦ（ｔｈｅ  Ｉｎｔｅｒｎｅｔ  Ｅｎｇｉｎｅｅｒｉｎｇ  Ｔａｓｋ  Ｆｏｒｃｅ）  ＲＦＣ３２６１やＲＦＣ２３２７などをそれぞれ参照できる。【００５６】
さらに、呼制御部１６０は、携帯端末１５０のロケーションに関する情報を受信し、携帯端末１５０の移動により、ゲートウェイ装置１１０からＩＭＳネットワーク１４０側に送出する該当チャネルのパケットのＩＰアドレスが変更になるか否かを判別する。【００５７】
該当チャネルのパケットのＩＰアドレスが変更になる場合、呼制御部１６０は、送出先ＩＰアドレス変更指示をパケット化部１７６に出力するとともに、移動完了通知を、ＳＮ  ・ＴＳ変更部１７８に出力する。ここで、ＳＮは、Ｓｅｑｕｅｎｃｅ  Ｎｕｍｂｅｒ（シーケンス番号）を表し、ＴＳはＴｉｍｅ  Ｓｔａｍｐ（タイムスタンプ）である。【００５８】
呼制御部１６０は、モバイル回線交換ネットワーク１３０から入力した呼制御信号に含まれる情報と、ＩＭＳネットワーク１４０から入力した呼制御信号（ＳＩＰまたはＳＤＰ）に含まれる情報のうち所定の情報をチャネル（回線）毎に、変換部１７０の制御・解析部１７２に出力する。【００５９】
制御・解析部１７２は、呼制御部１６０から入力したチャネルごとの情報を比較して、プロトコル変換の必要の有無を判別する。【００６０】
プロトコル変換が必要な場合に、制御・解析部１７２は、どのような変換をするかを示す変換情報を、チャネル毎に、プロトコル変換部１７５に出力する。【００６１】
プロトコル変換部１７５は、モバイル回線交換ネットワーク１３０からＩｕＵＰ回線交換プロトコルを入力して、プロトコルに格納されている音声の圧縮符号化ビットストリームを読み出す。ここでは、音声の圧縮符号化ビットストリームをＡＭＲで圧縮符号化されたビットストリームとする。【００６２】
さらに、プロトコル変換部１７５は、変換情報を制御・解析部１７２からチャネル毎に入力し、プロトコル変換が必要な場合、ＡＭＲ圧縮符号化ビットストリームを、変換情報に従い、例えばチャネル毎に、ＩＥＴＦ  ＲＦＣ３２６７で規定されるＲＴＰ（Ｒｅａｌ−ｔｉｍｅ  Ｔｒａｎｓｐｏｒｔ  Ｐｒｏｔｏｃｏｌ）ペイロードフォーマットヘッダを構築した上で、ペイロード部分に、前記ＡＭＲ圧縮符号化ビットストリームを格納する。【００６３】
ここで、ＡＭＲ圧縮音声符号化ビットストリームに含まれるフレームタイプ情報は、ビットレートを表すので、ＲＦＣ３２６７のコーデック・モードリクエスト（ＣＭＲ）情報に変換する。【００６４】
さらにＲＦＣ３２６７でオクテットアラインや他の必要なパラメータを、予め定められた設定値に設定する。【００６５】
ＳＮ・ＴＳ変更部１７８は、一つ前のＳＮまたはＴＳを保持しておき、端末が移動してＩＰアドレスが変更になった場合には、制御・解析部１７２から移動完了通知を入力し、移動完了通知時に異なるＩＰアドレスあてに送出するＲＴＰパケットのＳＮまたはＴＳが前記保持しておいたＳＮまたはＴＳよりも過去にさかのぼったり、同じ値になったりせずに、連続的に変化するように、移動完了通知以降において、必要であれば、ＳＮまたはＴＳの変更（付け替え）を行なう。【００６６】
パケット化部１７６は、プロトコル変換部１７５から前記ＲＴＰペイロードフォーマット情報を入力してＲＴＰパケットに格納する。【００６７】
パケット化部１７６は、さらに端末が移動してＩＰアドレスが変更になる場合には、変更後のＩＰアドレスを、制御・解析部１７２から入力し、ＩＰアドレスが変更にならない場合には、これまでのＩＰアドレスを使用し、当該ＩＰアドレスあてに、ＲＴＰ／ＵＤＰ（Ｕｓｅｒ  Ｄａｔａｇｒａｍ  Ｐｒｏｔｏｃｏｌ）／ＩＰ（Ｉｎｔｅｒｎｅｔ  Ｐｒｏｔｏｃｏｌ）を送出する。【００６８】
図３において、図２と同一要素には同一参照番号が付されており、同一要素は同じ動作をするので、説明は省略する。図３を参照して、ＩＭＳネットワーク１４０からモバイル回線交換ネットワーク１３０の方向の構成を説明する。【００６９】
呼制御部１６０は、携帯端末１５０のロケーションに関する情報を受信し、携帯端末１５０の移動によりＩＭＳネットワーク１４０側から受信する該当チャネルのパケットの送出元ＩＰアドレスが変更になるか否かを判別する。【００７０】
送出元ＩＰアドレスが変更になる場合は、呼制御部１６０は、送出元ＩＰアドレス変更指示をパケット受信部１７９に出力するとともに、移動完了通知をジッタバッファ部１７７に出力する。【００７１】
パケット受信部１７９はＩＭＳネットワーク１４０からパケットを受信する。携帯端末１５０が移動することにより、送出元ＩＰアドレスが変更になる場合、パケット受信部１７９は、制御・解析部１７２から変更後のＩＰアドレスを入力し、受信元の方路を切り替えた上で、ＲＴＰ／ＵＤＰ／ＩＰパケットを受信する。【００７２】
ジッタバッファ部１７７は、パケット受信部１７９からＲＴＰパケットを入力する。ジッタバッファ部１７７はＲＴＰパケットのジッタ（遅延のゆらぎ）を取り除く。携帯端末１５０が移動してＩＰアドレスが変更になった場合、ジッタバッファ部１７７は、制御・解析部１７２から移動完了通知を入力する。移動完了通知受信時に、ジッタバッファまたはＴＳ（タイムスタンプ）またはＳＮ（シーケンス番号）の少なくとも一つの内容をクリアした上で、パケット受信部１７９から、ＲＴＰパケットを入力し、プロトコル変換部１７５に出力する。【００７３】
上記の実施例において、音声の圧縮符号化ビットストリームの生成に使用する音声コーデックは、前記したＡＭＲ以外に、ＡＭＲ−ＷＢやＧ．７１１など、他の周知なコーデックを使用することができる。【００７４】
また、制御・解析部１７２を変換部１７０の中に配置したが、呼制御部１６０の中に配置するようにしてもよい。【００７５】
さらに、呼制御部１６０と変換部１７０は、おのおの別の装置に分離して実現することもできる。このような構成の場合は、呼制御部１６０と変換部１７０の間の制御信号のやりとりは、例えば、ＩＴＵ−Ｔ  Ｈ．２４８  ＭＥＧＡＣＯプロトコルを使用することができる。
【実施例２】
【００７６】
次に本発明の第２の実施例について説明する。図４は、本発明の第２の実施例の構成を示す図である。図４において、図１と同一の要素には同一の参照符号が付されており、同一要素は図１と同じ動作をするので説明は省略する。【００７７】
図４において、携帯端末１２０はモバイル回線交換ネットワーク１３０に接続されているが、音声通信をしながら、モバイル回線交換ネットワーク１３０上でロケーションを移動し、携帯端末１２５の位置まで移動し、移動後も音声通信を継続している。【００７８】
この場合、ゲートウェイ装置１１０はＩＭＳネットワーク１４０に送出するＲＴＰパケットのＳＮまたはＴＳのいずれかが携帯端末１２０の移動直前と直後において連続的に変化していることを実現しなければならない。この場合の構成は、図２と同一であるため、その説明は省略する。【００７９】
次に、モバイル回線交換ネットワーク１３０に対し、携帯端末１２０の移動直前と移動直後において異なる方路にＩｕＵＰ回線交換プロトコルを送出する必要があり、ＩｕＵＰのフレーム番号が、移動直前から移動直後以降に、連続的に変化している必要がある。【００８０】
図５は、図４のゲートウェイ装置１１０の構成（ＩＭＳネットワーク１４０からモバイル回線交換ネットワーク１３０の方向の構成）を示す図である。なお、本実施例において、モバイル回線交換ネットワーク１３０からＩＭＳネットワーク１４０への方向の構成は、図２と同一とされる。【００８１】
本実施例のゲートウェイ装置１１０は、ＩｕＵＰのフレーム番号が移動直前から移動直後以降、連続的に変化するという機能を実現する。【００８２】
図５において、図３と同一の要素には同一の参照番号が付されている。同一の参照番号の構成要素は、図３と同じ動作をするので説明は省略する。図５を参照すると、本実施例において、制御・解析部１７２は、携帯端末１２０の移動完了通知を、ジッタバッファ部１７７とプロトコル変換部２００とに出力する。【００８３】
図５において、プロトコル変換部２００は、受信したパケットからモバイル回線交換ネットワーク１３０に出力するためのＩｕＵＰプロトコルに変換するが、ＩｕＵＰプロトコルに含まれるフレーム番号が連続的に変化するように処置を施す。【００８４】
具体的には、プロトコル変換部２００は、少なくとも１つ前のフレーム番号をメモリに記憶しておく。移動完了通知を制御・解析部１７２から入力した場合は、移動完了通知受信直後のＩｕＵＰフレーム番号をチェックし、メモリ（不図示）に記憶しておいた移動完了通知入力直前のフレーム番号から連続的に変化していることを確認する。もし、連続的に変化していない場合（例えばフレーム番号が過去に遡っている、フレーム番号が同じ値になっているなど）、プロトコル変換部２００は、フレーム番号が連続になるように付け替える処理を行った上で、ＩｕＵＰプロトコルをモバイル回線交換ネットワーク１３０に送出する。【００８５】
本発明の第２の実施例では、音声の圧縮符号化ビットストリームの生成に使用する音声コーデックは、前記したＡＭＲやＧ．７１１以外に、他の周知なコーデックを使用することができる。また、制御・解析部１７２を変換部２７０の中に配置したが、呼制御部１６０の中に配置するようにしてもよい。【００８６】
さらに、呼制御部１６０と変換部２７０は、おのおの別の装置に分離して配置させることもできる。このような構成の場合は、呼制御部１６０と変換部２７０の間の制御信号のやりとりは、例えば、ＩＴＵ−Ｔ  Ｈ．２４８  ＭＥＧＡＣＯプロトコルを使用することができる。図５において、呼制御部１６０と変換部２７０（制御・解析部１７２、プロトコル変換部２００、ジッタバッファ部１７７、パケット受信部１７９）の処理・機能は、ゲートウェイ装置１１０を構成するコンピュータで実行されるプログラムにより実現するようにしてもよい。
【実施例３】
【００８７】
次に本発明の第３の実施例について説明する。本実施例では、図１の構成において、携帯端末１２０と、携帯端末１５０（携帯端末１５５）の音声圧縮符号化方式が異なっている。そのためにゲートウェイ装置１１０の構成が図２の構成と相違している。図６は、本実施例のゲートウェイ装置１１０の構成を示す図である。なお、図６において、図２と同一の要素には、同一の参照番号が付されている。【００８８】
図６を参照すると、変換部２５０には、プロトコル変換部１７５とＳＮ・ＴＳ変更部１７８の間に、音声トランスコーダ１９０が追加されている。音声トランスコーダ１９０は、プロトコル変換部１７５とＳＮ・ＴＳ変更部１７８の間に挿入されている。音声トランスコーダ１９０以外は、図２の構成と同じである。【００８９】
音声トランスコーダ１９０は、制御・解析部１７２からの変換指示にもとづき、音声圧縮符号化方式の変換を行う。【００９０】
ここでは、一例として、モバイル回線交換ネットワーク１３０側の携帯端末１２０にはＡＭＲが搭載され、携帯端末１５０（または携帯端末１５５）にはＧ．７１１が搭載されている場合を想定する。この場合、音声トランスコーダ１９０は、ＡＭＲとＧ．７１１の間の音声圧縮符号化方式の変換を行う。【００９１】
本発明の第３の実施例において、音声の圧縮符号化ビットストリームの生成に使用する音声コーデックは、前記したＡＭＲやＧ．７１１以外に、他の周知なコーデックを使用することができる。また、制御・解析部１７２を変換部２５０の中に配置したが、呼制御部１６０の中に配置するようにしてもよい。【００９２】
さらに、呼制御部１６０と変換部２５０は、おのおの別の装置に分離して配置させることもできる。このような構成の場合は、呼制御部１６０と変換部２５０の間の制御信号のやりとりは、例えば、ＩＴＵ−Ｔ  Ｈ．２４８  ＭＥＧＡＣＯプロトコルを使用することができる。図６において、呼制御部１６０と変換部２５０（制御・解析部１７２、プロトコル変換部１７５、音声トランスコーダ１９０、ＳＮ・ＴＳ変更部１７８、パケット化部１７６）の処理・機能は、ゲートウェイ装置１１０を構成するコンピュータで実行されるプログラムにより実現するようにしてもよい。【００９３】
図７は、本実施例において、ＩＭＳネットワーク１４０からモバイル回線交換ネットワーク１３０方向の構成を示している。図７において、図３と同一の要素には、同一の参照番号が付されている。図７を参照すると、本実施例のゲートウェイ回路１１０は、ジッタバッファ部１７７とプロトコル変換部１７５の間に、音声トランスコーダ１９０を備えた点が、図３の構成と相違している。【００９４】
図７において、音声トランスコーダ１９０は、制御・解析部１７２からの変換指示にもとづき、音声圧縮符号化方式の変換を行う。ここでは、一例として、モバイル回線交換ネットワーク１３０側の携帯端末１２０にはＡＭＲが搭載され、携帯端末１５０（または携帯端末１５５）にはＧ．７１１が搭載されている場合を想定する。この場合、音声トランスコーダ１９０は、ＡＭＲとＧ．７１１の間の音声圧縮符号化方式の変換を実施する。【００９５】
本実施例において、音声の圧縮符号化ビットストリームの生成に使用する音声コーデックは、前記したＡＭＲやＧ．７１１以外に、他の周知なコーデックを使用することができる。また、制御・解析部１７２を変換部２５０の中に配置したが、呼制御部１６０の中に配置するようにしてもよい。【００９６】
さらに、呼制御部１６０と変換部２５０は、おのおの別の装置に分離して配置させることもできる。このような構成の場合は、呼制御部１６０と変換部２５０の間の制御信号のやりとりは、例えば、ＩＴＵ−Ｔ  Ｈ．２４８  ＭＥＧＡＣＯプロトコルを使用することができる。【００９７】
なお、図５のゲートウェイの構成に対しても、図７のように音声トランスコーダ１９０をプロトコル変換部２００とジッタバッファ部１７７の間に配置し、音声トランスコーダ１９０に対し、制御・解析部１７２からトランスコーダへの制御信号を入力する構成をとることができる。図７において、呼制御部１６０と変換部２５０（制御・解析部１７２、プロトコル変換部１７５、音声トランスコーダ１９０、ジッタバッファ部１７７、パケット受信部１７９）の処理・機能は、ゲートウェイ装置１１０を構成するコンピュータで実行されるプログラムにより実現するようにしてもよい。【００９８】
前記した各実施例によれば、以下の作用効果を奏する。【００９９】
モバイル回線交換ネットワークで実現している音声電話サービスをＩＭＳネットワーク  上で実現することができる、すなわち、回線交換プロトコルフレーム信号とＩＭＳネットワークのパケット信号との相互接続を実現し、音声通信を維持できる。【０１００】
端末が移動してロケーションを移動した場合に、本発明のゲートウェイ装置によれば、端末の移動後に音声パケットの不連続や不要なパケットの送出により、端末で聞いている音声が不連続になったり、遅延が増えたり余分な雑音などが聞こえる、などの問題を解決して、クリーンな音声通信を実現できる。【０１０１】
さらに、前記端末同士で音声の圧縮符号化方式が異なる場合であっても、ゲートウェイ装置で音声圧縮符号化方式も変換することにより、端末を改造することなく、音声通信の相互接続を実現することができる。【０１０２】
なお、本発明は、上記実施例で説明した、モバイル回線交換ネットワークとＩＭＳ（ＩＰ  Ｍｕｌｔｉｍｅｄｉａ  Ｓｕｂｓｙｓｔｅｍ）ネットワークとの間に配置されたゲートウェイ装置への適用にのみ限定されるものでなく、例えばモバイル高速ネットワークとモバイル回線交換ネットワークとの間に配置されたゲートウェイ装置に対しても同様にして適用可能である。ここで、モバイル高速ネットワークは、例えばＬＴＥ（Ｌｏｎｇ  Ｔｅｒｍ  Ｅｖｏｌｕｔｉｏｎ）、ＥＰＣ（Ｅｖｏｌｖｅｄ  Ｐａｃｋｅｔ  Ｃｏｒｅ）、ＵＭＡ（Ｕｌｔｒａ  Ｍｏｂｉｌｅ  Ａｃｃｅｓｓ）、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）、ＨＳＰＡ（Ｈｉｇｈ  Ｓｐｅｅｄ  Ｐａｃｋｅｔ  Ａｃｃｅｓｓ）、ＷｉＭａｘの少なくとも一つを含むネットワークである。以下に、モバイル高速ネットワークとモバイル回線交換ネットワークとの間に配置され、回線交換のプロトコルとパケット上のプロトコルとを相互に変換し音声通信を行うゲートウェイ装置の実施例について説明する。
【実施例４】
【０１０３】
図８は、本発明の第１の実施例のゲートウェイ装置のネットワーク構成と接続形態を示す図である。図８において、携帯端末１２０は、モバイル回線交換ネットワークに接続される既存の音声電話端末である。携帯端末１２０は、モバイル回線交換ネットワーク１３０に接続され、例えばＡＭＲ（Ａｄａｐｔｉｖｅ  Ｍｕｌｔｉ−Ｒａｔｅ）音声コーデックを搭載し音声信号を１２．２ｋｂｐｓ（キロビット／秒）のビットレートで圧縮符号化して得たビットストリームを送受信する。ここで、ＡＭＲ音声コーデックの詳細は例えば３ＧＰＰ（Ｔｈｉｒｄ  ｇｅｎｅｒａｔｉｏｎ  Ｐａｒｔｎｅｒ  Ｐｒｏｊｅｃｔ）  ＴＳ２６．０９０規格などを参照することができる。【０１０４】
モバイル回線交換ネットワーク１３０では、無線基地局（ＮｏｄｅＢ）や無線ネットワーク制御装置（ＲＮＣ（Ｒａｄｉｏ  Ｎｅｔｗｏｒｋ  Ｃｏｎｔｒｏｌｌｅｒ））においてＡＭＲストリームをＩｕＵＰ（Ｉｕ  Ｕｓｅｒ  Ｐｌａｎｅ）回線交換プロトコルに格納した形式で送受信する。また、呼処理信号としてモバイル回線交換ネットワークで使用される呼処理信号を出力する。ここで、ＩｕＵＰプロトコルは３ＧＰＰ  ＴＳ２５．４１５規格などを参照することができる。【０１０５】
携帯端末１５０は、ＩＰベースのモバイル高速ネットワーク１４０’（例えば、ＬＴＥやＥＰＣやＵＭＡやＨＳＤＰＡやＨＳＰＡやモバイルＷｉＭａｘ等）に接続されるＶｏＩＰ音声端末を示している。【０１０６】
携帯端末１５０は、例えばＡＭＲ音声コーデックを搭載し音声信号を例えば１２．２ｋｂｐｓのビットレートで圧縮符号化してビットストリームを生成する。さらに前記ビットストリームをＲＴＰ（Ｒｅａｌ−ｔｉｍｅ  Ｔｒａｎｓｐｏｒｔ  Ｐｒｏｔｏｃｏｌ）に格納しＲＴＰパケットを生成した上でモバイル高速ネットワーク１４０’に接続し、ＲＴＰパケットをＵＤＰ（Ｕｓｅｒ  Ｄａｔａｇｒａｍ  Ｐｒｏｔｏｃｏｌ）／ＩＰ（Ｉｎｔｅｒｎｅｔ  Ｐｒｏｔｏｃｏｌ）上で送受信する。ここで、ＡＭＲビットストリームをＲＴＰパケット化する場合に、ＲＴＰペイロードフォーマットが必要であり、これについては、例えば、ＩＥＴＦ（ｔｈｅ  Ｉｎｔｅｒｎｅｔ  Ｅｎｇｉｎｅｅｒｉｎｇ  Ｔａｓｋ  Ｆｏｒｃｅ）  ＲＦＣ３２６７規格を参照することができる。また、このようなＶｏＩＰ端末の機能の詳細については、３ＧＰＰ  ＴＳ２６．１１４規格を参照することができる。【０１０７】
ゲートウェイ装置１１０は、モバイル回線交換ネットワーク１３０およびモバイル高速ネットワーク１４０’の両方に接続し、両者の間の音声通信を相互接続する。すなわち、呼制御信号と音声データに関するプロトコルの両者を変換することにより相互接続する。具体的には、ゲートウェイ装置１１０は、モバイル高速ネットワーク１４０’が一例としてＥＰＣやＬＴＥの場合は、ＰＧＷまたはＰＤＮ−ＧＷ（Ｐａｃｋｅｔ  Ｄａｔａ  Ｎｅｔｗｏｒｋ  Ｇａｔｅｗａｙ）などとの間で呼制御信号やパケットをやりとりする。ゲートウェイ装置１１０は、モバイル回線交換ネットワーク１３０との間は、ＭＳＣ（Ｍｏｂｉｌｅ  Ｓｗｉｔｃｈｉｎｇ  Ｃｅｎｔｅｒ）などとの間で呼制御信号や音声信号をやりとりする。ここでＰＤＮ−ＧＷの詳細は、例えば３ＧＰＰＴＳ２３．４０１規格を参照することができる。【０１０８】
図８では、もともと携帯端末１５０と携帯端末１２０が音声通信していたが、携帯端末１５０はモバイル高速ネットワーク１４０’上で移動しロケーションが変更になり便宜上１５５になり、移動後も１５５と１２０間で音声通信を継続している場合の構成を示している。【０１０９】
本発明の第４の実施例のゲートウェイ装置１１０の構成は、図２、図３と同様とされる。図２は、音声データがモバイル回線交換ネットワーク１３０からモバイル高速ネットワーク１４０’への方向に転送されていく場合の構成を示している。図２を参照すると、ゲートウェイ装置１１０は、呼制御部１６０と変換部１７０を備えている。変換部１７０は、制御・解析部１７２、プロトコル変換部１７５、ＳＮ（シーケンス番号）・ＴＳ（タイムスタンプ）変更部１７８、パケット化部１７６を備えている。【０１１０】
図３は、音声データがモバイル高速ネットワーク１４０’からモバイル回線交換ネットワーク１３０への方向に転送されていく場合の構成を示している。図３を参照すると、変換部１７０は、制御・解析部１７２と、プロトコル変換部１７５と、ジッタバッファ部１７７、パケット受信部１７９を備えている。図２、図３において、呼制御部１６０と変換部１７０（制御・解析部１７２、プロトコル変換部１７５、ＳＮ・ＴＳ変更部１７８、パケット化部１７６、ジッタバッファ部１７７、パケット受信部１７９）の処理・機能は、ゲートウェイ装置１１０を構成するコンピュータで実行されるプログラムにより実現するようにしてもよい。【０１１１】
図８、図２を参照して、モバイル回線交換ネットワーク１３０からモバイル高速ネットワーク１４０’の方向の構成を説明する。図２において、呼制御部１６０は、モバイル高速ネットワーク１４０’から呼制御信号（例えばＳＩＰ（Ｓｅｓｓｉｏｎ  Ｉｎｉｔｉａｔｉｏｎ  Ｐｒｏｔｏｃｏｌ）およびＳＤＰ（Ｓｅｓｓｉｏｎ  Ｄｅｓｃｒｉｐｔｉｏｎ  Ｐｒｏｔｏｃｏｌ））を受信し、回線交換の呼制御信号に変換してモバイル回線交換ネットワーク１３０に出力する。【０１１２】
また、呼制御部１６０は、逆方向の変換を行い、モバイル回線交換ネットワーク１３０から受信した回線交換の呼制御信号を例えばＳＩＰやＳＤＰ信号に変換して、モバイル高速ネットワーク１４０’に出力する。ここで、ＳＩＰやＳＤＰについては、例えばＩＥＴＦ  ＲＦＣ３２６１やＲＦＣ２３２７などをそれぞれ参照できる。【０１１３】
さらに、呼制御部１６０は、携帯端末１５０のロケーションに関する情報を受信し、携帯端末１５０の移動により、ゲートウェイからモバイル高速ネットワーク１４０’側に送出する該当チャネルのパケットのＩＰアドレスが変更になるか否かを判別する。【０１１４】
該当チャネルのパケットのＩＰアドレスが変更になる場合、呼制御部１６０は、送出先ＩＰアドレス変更指示をパケット化部１７６に出力するとともに、移動完了通知をＳＮ  （Ｓｅｑｕｅｎｃｅ  Ｎｕｍｂｅｒ：シーケンス番号）・ＴＳ（Ｔｉｍｅ  Ｓｔａｍｐ：タイムスタンプ）変更部１７８に出力する。【０１１５】
呼制御部１６０は、モバイル回線交換ネットワーク１３０から入力した呼制御信号に含まれる情報と、モバイル高速ネットワーク１４０’から入力したＳＩＰまたはＳＤＰに含まれる情報のうち、必要な情報を、チャネル（回線）毎に、変換部１７０に搭載された制御・解析部１７２に出力する。【０１１６】
制御・解析部１７２は、呼制御部１６０から入力したチャネルごとの前記の情報を比較して、プロトコル変換が必要がどうかを判別し、変換が必要な場合に、どのような変換をするかの変換情報を、チャネル毎に、プロトコル変換部１７５に出力する。【０１１７】
プロトコル変換部１７５は、モバイル回線交換ネットワーク１３０からＩｕＵＰ回線交換プロトコルを入力して、前記プロトコルに格納されている音声の圧縮符号化ビットストリームを読み出す。ここではＡＭＲで圧縮符号化されたビットストリームであるとする。【０１１８】
さらに、プロトコル変換部１７５は、変換情報を制御・解析部１７２からチャネル毎に入力する。プロトコル変換が必要な場合には、プロトコル変換部１７５は、ＡＭＲ圧縮符号化ビットストリームを、該変換情報に従い、例えば、チャネル毎に、ＩＥＴＦ  ＲＦＣ３２６７で規定されるＲＴＰペイロードフォーマットヘッダを構築した上で、ペイロード部分に前記ＡＭＲ圧縮符号化ビットストリームを格納する。【０１１９】
ここで、ＡＭＲ圧縮音声符号化ビットストリームに含まれるフレームタイプ情報はビットレートを表すので、ＲＦＣ３２６７のコーデックモードリクエスト（ＣＭＲ）情報に変換する。【０１２０】
プロトコル変換部１７５は、さらにＲＦＣ３２６７でオクテットアラインや他の必要なパラメータを、予め定められた設定値に設定する。【０１２１】
ＳＮ・ＴＳ変更部１７８は、携帯端末１５０が移動してＩＰアドレスが変更になった場合は制御・解析部１７２から移動完了通知を入力し、移動直前のタイミングでのＳＮ（シーケンス番号）またはＴＳ（タイムスタンプ）を保持しておき、移動完了通知時に異なるＩＰアドレスあてに送出するＲＴＰパケットのＳＮまたはＴＳが前記保持しておいたＳＮまたはＴＳから連続的に変化するように、移動完了通知以降において、ＳＮまたはＴＳの変更（付け替え）を行う。【０１２２】
パケット化部１７６は、プロトコル変換部１７５から前記ＲＴＰペイロードフォーマット情報を入力してＲＴＰパケットに格納する。さらに、携帯端末１５０が移動して、ＩＰアドレスが変更になる場合、パケット化部１７６は、変更後のＩＰアドレスを制御・解析部１７２から入力し、変更にならない場合には、これまでのＩＰアドレスを使用し、当該ＩＰアドレスあてに、ＲＴＰ／ＵＤＰ／ＩＰを送出する。【０１２３】
次に、図８、図３を参照して、モバイル高速ネットワーク１４０’からモバイル回線交換ネットワーク１３０の方向の構成を説明する。呼制御部１６０は、携帯端末１５０のロケーションに関する情報を受信し、携帯端末１５０の移動によりモバイル高速ネットワーク１４０’側から受信する該当チャネルのパケットの送出元ＩＰアドレスが変更になるか否かを判別する。【０１２４】
該当チャネルのパケットの送出元ＩＰアドレスが変更になる場合、呼制御部１６０は、送出元ＩＰアドレス変更指示をパケット受信部１７９に出力するとともに、移動完了通知をジッタバッファ部１７７に出力する。【０１２５】
パケット受信部１７９は、モバイル高速ネットワーク１４０’からパケットを受信する。携帯端末１５０が移動することにより、送出元ＩＰアドレスが変更になる場合、パケット受信部１７９は、制御・解析部１７２から変更後のＩＰアドレスを入力し、受信元の方路を切り替えた上で、ＲＴＰ／ＵＤＰ／ＩＰパケットを受信する。【０１２６】
ジッタバッファ部１７７は、パケット受信部１７９からＲＴＰパケットを入力する。ジッタバッファ部１７７はＲＴＰパケットのジッタ（遅延のゆらぎ）を取り除く。携帯端末１５０が移動してＩＰアドレスが変更になった場合、ジッタバッファ部１７７は、制御・解析部１７２から移動完了通知を入力し、移動完了通知受信時に、ジッタバッファ、またはＲＴＰタイムスタンプまたはＲＴＰシーケンス番号の少なくとも一つをクリアした上でパケット受信部１７９からＲＴＰパケットを入力する。【０１２７】
上記の実施例において、音声の圧縮符号化ビットストリームの生成に使用する音声コーデックは、前記したＡＭＲ以外に、ＡＭＲ−ＷＢやＧ．７１１など、他の周知なコーデックを使用することができる。モバイル高速ネットワークとやりとりするパケットのプロトコルはＲＴＰとしたが、別のプロトコル（例えばＧＴＰ−Ｕなど）としてもよい。【０１２８】
また、制御・解析部１７２を変換部１７０の中に配置したが、呼制御部１６０の中に配置するようにしてもよい。【０１２９】
さらに、呼制御部１６０と変換部１７０は、おのおの別の装置に分離して実現することもできる。このような構成の場合は、呼制御部１６０と変換部１７０の間の制御信号のやりとりは、例えば、ＩＴＵ−Ｔ  Ｈ．２４８  ＭＥＧＡＣＯプロトコルを使用することができる。
【実施例５】
【０１３０】
次に本発明の第５の実施例について説明する。図９は、本発明の第５の実施例の構成を示す図である。図９において、図８と同一の要素には同一の参照符号が付されており、同一要素は図８と同じ動作をするので説明は省略する。【０１３１】
図９において、携帯端末１２０は、モバイル回線交換ネットワーク１３０上でロケーションを移動し携帯端末１２５の位置まで移動したと想定する。この場合、ゲートウェイ装置１１０は、モバイル回線交換ネットワーク１３０に対し、携帯端末１２０の移動前と移動後において異なる方路にＩｕＵＰ回線交換プロトコルを送出する必要がある。【０１３２】
本実施例のゲートウェイ装置１１０の構成（モバイル高速ネットワーク１４０’からモバイル回線交換ネットワーク１３０の方向の構成）は、図５と同様とされる。なお、本実施例において、モバイル回線交換ネットワーク１３０からモバイル高速ネットワーク１４０’への方向の構成は、図２と同一とされる。【０１３３】
図５において、図３と同一の要素には、同一の参照番号が付されている。同一の参照番号の構成要素は、図３と同じ動作をするので説明は省略する。【０１３４】
図５を参照すると、本実施例において、制御・解析部１７２は、携帯端末１２０の移動完了通知をジッタバッファ部１７７とプロトコル変換部２００とに出力する。【０１３５】
プロトコル変換部２００は、パケットからモバイル回線交換ネットワーク１３０に出力するためのＩｕＵＰプロトコルに変換するが、ＩｕＵＰプロトコルに含まれるフレーム番号が連続的に変化するように処置を施す。【０１３６】
具体的には、プロトコル変換部２００は、少なくとも１つ前のフレーム番号をメモリ（不図示）に記憶しておく。【０１３７】
移動完了通知を制御・解析部１７２から入力した場合、プロトコル変換部２００は、移動完了通知受信直後のＩｕＵＰフレーム番号をチェックし、メモリに記憶しておいた移動完了通知入力直前のフレーム番号から連続的に変化していることを確認する。もしそのようになっていない場合（例えばフレーム番号が過去に遡っている、フレーム番号が同じ値になっているなど）、プロトコル変換部２００は、フレーム番号が連続になるように付け替える処理を行った上で、ＩｕＵＰプロトコルをモバイル回線交換ネットワーク１３０に送出する。【０１３８】
本発明の第５の実施例では、音声の圧縮符号化ビットストリームの生成に使用する音声コーデックは、前記したＡＭＲやＧ．７１１以外に、他の周知なコーデックを使用することができる。モバイル高速ネットワークとやりとりするパケットのプロトコルはＲＴＰとしたが、別のプロトコル（例えばＧＴＰ−Ｕなど）としてもよい。【０１３９】
また、制御・解析部１７２を変換部２７０の中に配置したが、呼制御部１６０の中に配置するようにしてもよい。【０１４０】
さらに、呼制御部１６０と変換部２７０は、おのおの別の装置に分離して配置させることもできる。このような構成の場合は、呼制御部１６０と変換部２７０の間の制御信号のやりとりは、例えば、ＩＴＵ−Ｔ  Ｈ．２４８  ＭＥＧＡＣＯプロトコルを使用することができる。図５において、呼制御部１６０と変換部２７０（制御・解析部１７２、プロトコル変換部２００、ジッタバッファ部１７７、パケット受信部１７９）の処理・機能は、ゲートウェイ装置１１０を構成するコンピュータで実行されるプログラムにより実現するようにしてもよい。
【実施例６】
【０１４１】
次に本発明の第６の実施例について説明する。本実施例では、図８の構成において、携帯端末１２０と携帯端末１５０（携帯端末１５５）との音声圧縮符号化方式が異なっている。そのためにゲートウェイ装置１１０の構成が図２の構成と異なる。本実施例のゲートウェイ装置１１０は、図６に示した構成とされる。【０１４２】
図６において、変換部２５０には、プロトコル変換部１７５と、ＳＮ・ＴＳ変更部１７８の間に、音声トランスコーダ１９０が追加されている。音声トランスコーダ１９０以外は、図２の構成と同じである。【０１４３】
音声トランスコーダ１９０は、制御・解析部１７２からの変換指示にもとづき、音声圧縮符号化方式の変換を行う。ここでは一例として、モバイル回線交換ネットワーク１３０側の携帯端末１２０にはＡＭＲが搭載され、モバイル高速ネットワーク１４０’側の携帯端末１５０（または携帯端末１５５）にはＧ．７１１が搭載さている場合を想定する。この場合、音声トランスコーダ１９０はＡＭＲとＧ．７１１の間の音声圧縮符号化方式の変換を実施する。【０１４４】
本発明の第６の実施例において、音声の圧縮符号化ビットストリームの生成に使用する音声コーデックは、前記したＡＭＲやＧ．７１１以外に、他の周知なコーデックを使用することができる。また、モバイル高速ネットワークとやりとりするパケットのプロトコルはＲＴＰとしたが、別のプロトコル（例えばＧＴＰ−Ｕなど）としてもよい。【０１４５】
また、制御・解析部１７２を変換部２５０の中に配置したが、呼制御部１６０の中に配置するようにしてもよい。【０１４６】
さらに、呼制御部１６０と変換部２５０は、おのおの別の装置に分離して配置させることもできる。このような構成の場合は、呼制御部１６０と変換部２５０の間の制御信号のやりとりは、例えば、ＩＴＵ−Ｔ  Ｈ．２４８  ＭＥＧＡＣＯプロトコルを使用することができる。【０１４７】
図６において、呼制御部１６０と変換部２５０（制御・解析部１７２、プロトコル変換部１７５、音声トランスコーダ１９０、ＳＮ・ＴＳ変更部１７８、パケット化部１７６）の処理・機能は、ゲートウェイ装置１１０を構成するコンピュータで実行されるプログラムにより実現するようにしてもよい。【０１４８】
本実施例において、モバイル高速ネットワーク１４０’からモバイル回線交換ネットワーク１３０方向のゲートウェイの構成は、図７に示した構成とされる。【０１４９】
図７を参照すると、本実施例のゲートウェイ回路１１０は、ジッタバッファ部１７７とプロトコル変換部１７５の間に、音声トランスコーダ１９０を備えている。【０１５０】
音声トランスコーダ１９０は、制御・解析部１７２からの変換指示にもとづき、音声圧縮符号化方式の変換を行う。ここでは、一例として、モバイル回線交換ネットワーク１３０側の携帯端末１２０には、ＡＭＲが搭載され、モバイル高速ネットワーク１４０’側の携帯端末１５０（または携帯端末１５５）には、Ｇ．７１１が搭載さている場合を想定する。この場合、音声トランスコーダ１９０は、ＡＭＲとＧ．７１１の間の音声圧縮符号化方式の変換を行う。【０１５１】
本発明の第６の実施例において、音声の圧縮符号化ビットストリームの生成に使用する音声コーデックは、前記したＡＭＲやＧ．７１１以外に、他の周知なコーデックを使用することができる。【０１５２】
本実施例では、モバイル高速ネットワークとやりとりするパケットのプロトコルはＲＴＰとしたが、別のプロトコル（例えばＧＴＰ−Ｕなど）としてもよい。【０１５３】
また、本実施例では、制御・解析部１７２を変換部２５０の中に配置したが、呼制御部１６０の中に配置するようにしてもよい。【０１５４】
さらに、呼制御部１６０と変換部２５０は、おのおの別の装置に分離して配置させることもできる。このような構成の場合は、呼制御部１６０と変換部２５０の間の制御信号のやりとりは、例えば、ＩＴＵ−Ｔ  Ｈ．２４８  ＭＥＧＡＣＯプロトコルを使用することができる。図７において、呼制御部１６０と変換部２５０（制御・解析部１７２、プロトコル変換部１７５、音声トランスコーダ１９０、ジッタバッファ部１７７、パケット受信部１７９）の処理・機能は、ゲートウェイ装置１１０を構成するコンピュータで実行されるプログラムにより実現するようにしてもよい。【０１５５】
前記第４乃至第６の実施例によれば、以下の作用効果を奏する。【０１５６】
モバイル回線交換ネットワークに接続された携帯端末と、モバイル高速ネットワークに接続されたＶｏＩＰ端末との間の相互接続を可能にし、どの組み合わせであっても、端末を改造することなく、音声通信の相互接続を実現することができる。【０１５７】
また、前記端末同士で音声の圧縮符号化方式が異なる場合であっても、ゲートウェイ装置で音声圧縮符号化方式も変換することにより、端末を改造することなく、音声通信の相互接続を実現することができる。【０１５８】
さらに、端末が移動してロケーションを移動した場合に、端末の移動後に音声パケットの不連続や不要なパケットの送出により、端末で聞いている音声が不連続になったり、遅延が増えたり余分な雑音などが聞こえる、等の問題を解決し、クリーンな音声通信を実現できる。【０１５９】
なお、上記の特許文献の開示を、本書に引用をもって繰り込むものとする。本発明の全開示（請求の範囲を含む）の枠内において、さらにその基本的技術思想に基づいて、実施形態ないし実施例の変更・調整が可能である。また、本発明の請求の範囲の枠内において種々の開示要素の多様な組み合わせないし選択が可能である。すなわち、本発明は、請求の範囲を含む全開示、技術的思想にしたがって当業者であればなし得るであろう各種変形、修正を含むことは勿論である。【０１６０】
以下に本発明を付記する。
【付記１】
【０１６１】
モバイル回線交換ネットワークとＩＭＳ（ＩＰ  Ｍｕｌｔｉｍｅｄｉａ  Ｓｕｂｓｙｓｔｅｍ）ネットワークとの間に配置され、回線交換のプロトコルとＩＭＳ上のプロトコルとを相互に変換し、音声通信を行うゲートウェイ装置であって、
前記ＩＭＳネットワーク側の先に接続される端末がロケーションを移動した場合に、
前記ＩＭＳネットワークに対して出力するパケットにおいてシーケンス番号とタイムスタンプの少なくとも一つが、前記端末の移動前と移動後で連続的に変化するように制御する手段を備えた、ことを特徴とするゲートウェイ装置。
【付記２】
【０１６２】
モバイル回線交換ネットワークとＩＭＳ（ＩＰ  Ｍｕｌｔｉｍｅｄｉａ  Ｓｕｂｓｙｓｔｅｍ）ネットワークとの間に配置され、回線交換のプロトコルとＩＭＳ上のプロトコルとを相互に変換し音声通信を行うゲートウェイ装置であって、
前記ＩＭＳネットワークからパケットを受信して回線交換プロトコルに変換し前記変換後のプロトコルを前記モバイル回線交換ネットワークに出力するときに、前記ＩＭＳネットワーク側の先に接続される端末がロケーションを移動した場合に、
前記端末の移動完了時に、
前記パケットを受信する受信バッファ、
ジッタバッファ、
タイムスタンプ、
シーケンス番号
の少なくとも一つをクリアした上で、前記パケットを受信するように制御する手段を備えた、ことを特徴とするゲートウェイ装置。
【付記３】
【０１６３】
モバイル回線交換ネットワークとＩＭＳ（ＩＰ  Ｍｕｌｔｉｍｅｄｉａ  Ｓｕｂｓｙｓｔｅｍ）ネットワークとの間に配置され、回線交換のプロトコルとＩＭＳ上のプロトコルとを相互に変換し音声通信を行うゲートウェイ装置であって、
前記モバイル回線交換ネットワークに接続される端末が前記モバイル回線交換ネットワーク上でロケーションを移動した場合に、
前記ＩＭＳネットワークに対して出力するパケットにおいて前記パケットのシーケンス番号とタイムスタンプの少なくとも一つが前記端末の移動前と移動後で連続的に変化するように制御する手段を備えた、ことを特徴とするゲートウェイ装置。
【付記４】
【０１６４】
モバイル回線交換ネットワークとＩＭＳ（ＩＰ  Ｍｕｌｔｉｍｅｄｉａ  Ｓｕｂｓｙｓｔｅｍ）ネットワークとの間に配置され、回線交換のプロトコルとＩＭＳ上のプロトコルとを相互に変換し音声通信を行うゲートウェイ装置であって、
前記モバイル回線交換ネットワークに接続される端末が前記モバイル回線交換ネットワーク上でロケーションを移動した場合に、
前記モバイル回線交換ネットワークに対して出力するＩｕＵＰ（Ｉｕ  Ｕｓｅｒ  Ｐｌａｎｅ）プロトコル上のフレーム番号が、前記端末の移動前と移動後で連続的に変化するように制御する手段を備えた、ことを特徴とするゲートウェイ装置。
【付記５】
【０１６５】
前記モバイル回線交換ネットワークに接続される端末と、前記ＩＭＳネットワーク側の先に接続される端末の音声圧縮符号化方式が互いに異なる場合、音声圧縮符号化方式の変換を行う、ことを特徴とする付記１乃至４のいずれか１項に記載のゲートウェイ装置。
【付記６】
【０１６６】
モバイル回線交換ネットワークとＩＭＳ（ＩＰ  Ｍｕｌｔｉｍｅｄｉａ  Ｓｕｂｓｙｓｔｅｍ）ネットワークとの間で回線交換のプロトコルとＩＭＳ上のプロトコルとを相互に変換し音声通信を行うゲートウェイ方法であって、
前記ＩＭＳネットワーク側の先に接続される端末がロケーションを移動した場合に、
前記ＩＭＳネットワークに対して出力するパケットにおいてシーケンス番号とタイムスタンプの少なくとも一つが、前記端末の移動前と移動後で連続的に変化するように制御する、ことを特徴とするゲートウェイ方法。
【付記７】
【０１６７】
モバイル回線交換ネットワークとＩＭＳ（ＩＰ  Ｍｕｌｔｉｍｅｄｉａ  Ｓｕｂｓｙｓｔｅｍ）ネットワークとの間で回線交換のプロトコルとＩＭＳ上のプロトコルとを相互に変換し音声通信を行うゲートウェイ方法であって、
前記ＩＭＳネットワークからパケットを受信して回線交換プロトコルに変換して前記変換後のプロトコルを前記モバイル回線交換ネットワークに出力するときに、前記ＩＭＳネットワーク側の先に接続される端末がロケーションを移動した場合に、
前記端末の移動完了時に、
前記パケットを受信する受信バッファ、
ジッタバッファ、
タイムスタンプ、
シーケンス番号
の少なくとも一つをクリアした上で前記パケットを受信するように制御する、ことを特徴とするゲートウェイ方法。
【付記８】
【０１６８】
モバイル回線交換ネットワークとＩＭＳ（ＩＰ  Ｍｕｌｔｉｍｅｄｉａ  Ｓｕｂｓｙｓｔｅｍ）ネットワークとの間で回線交換のプロトコルとＩＭＳ上のプロトコルとを相互に変換し音声通信を行うゲートウェイ方法であって、
前記モバイル回線交換ネットワークに接続される端末が前記モバイル回線交換ネットワーク上でロケーションを移動した場合に、
前記ＩＭＳネットワークに対して出力するパケットにおいては前記パケットのシーケンス番号とタイムスタンプの少なくとも一つが前記端末の移動前と移動後で連続的に変化するように制御する、ことを特徴とするゲートウェイ方法。
【付記９】
【０１６９】
モバイル回線交換ネットワークとＩＭＳ（ＩＰ  Ｍｕｌｔｉｍｅｄｉａ  Ｓｕｂｓｙｓｔｅｍ）ネットワークとの間で回線交換のプロトコルとＩＭＳ上のプロトコルとを相互に変換し音声通信を行うゲートウェイ方法であって、
前記モバイル回線交換ネットワークに接続される端末が前記モバイル回線交換ネットワーク上でロケーションを移動した場合に、
前記モバイル回線交換ネットワークに対して出力するＩｕＵＰ（Ｉｕ  Ｕｓｅｒ  Ｐｌａｎｅ）プロトコル上のフレーム番号が前記端末の移動前と移動後で連続的に変化するように制御する、ことを特徴とするゲートウェイ方法。
【付記１０】
【０１７０】
前記モバイル回線交換ネットワークに接続される端末と、前記ＩＭＳネットワーク側の先に接続される端末の音声圧縮符号化方式が互いに異なる場合、音声圧縮符号化方式の変換を行う、ことを特徴とする付記５乃至９のいずれか１項に記載のゲートウェイ方法。
【付記１１】
【０１７１】
モバイル回線交換ネットワークとＩＭＳ（ＩＰ  Ｍｕｌｔｉｍｅｄｉａ  Ｓｕｂｓｙｓｔｅｍ）ネットワークとの間に配置され回線交換のプロトコルとＩＭＳ上のプロトコルとを相互に変換し音声通信を行うゲートウェイ装置を構成するコンピュータに、
前記ＩＭＳネットワーク側の先に接続される端末がロケーションを移動した場合に、前記ＩＭＳネットワークに対して出力するパケットにおいてシーケンス番号とタイムスタンプの少なくとも一つが、前記端末の移動前と移動後で連続的に変化するように制御する処理を実行させるプログラム。
【付記１２】
【０１７２】
モバイル回線交換ネットワークとＩＭＳ（ＩＰ  Ｍｕｌｔｉｍｅｄｉａ  Ｓｕｂｓｙｓｔｅｍ）ネットワークとの間に配置され回線交換のプロトコルとＩＭＳ上のプロトコルとを相互に変換し音声通信を行うゲートウェイ装置を構成するコンピュータに、
前記ＩＭＳネットワークからパケットを受信して回線交換プロトコルに変換して前記変換後のプロトコルを前記モバイル回線交換ネットワークに出力するときに、前記ＩＭＳネットワーク側の先に接続される端末がロケーションを移動した場合に、
前記端末の移動完了時に、
前記パケットを受信する受信バッファ、
ジッタバッファ、
タイムスタンプ、
シーケンス番号
の少なくとも一つをクリアした上で、前記パケットを受信するように制御する処理を実行させるプログラム。
【付記１３】
【０１７３】
モバイル回線交換ネットワークとＩＭＳ（ＩＰ  Ｍｕｌｔｉｍｅｄｉａ  Ｓｕｂｓｙｓｔｅｍ）ネットワークとの間に配置され回線交換のプロトコルとＩＭＳ上のプロトコルとを相互に変換し音声通信を行うゲートウェイ装置を構成するコンピュータに、
前記モバイル回線交換ネットワークに接続される端末が前記モバイル回線交換ネットワーク上でロケーションを移動した場合に、
前記ＩＭＳネットワークに対して出力するパケットにおいて前記パケットのシーケンス番号とタイムスタンプの少なくとも一つが前記端末の移動前と移動後で連続的に変化するように制御する処理を実行させるプログラム。
【付記１４】
【０１７４】
モバイル回線交換ネットワークとＩＭＳ（ＩＰ  Ｍｕｌｔｉｍｅｄｉａ  Ｓｕｂｓｙｓｔｅｍ）ネットワークとの間に配置され回線交換のプロトコルとＩＭＳ上のプロトコルとを相互に変換し音声通信を行うゲートウェイ装置を構成するコンピュータに、
前記モバイル回線交換ネットワークに接続される端末が前記モバイル回線交換ネットワーク上でロケーションを移動した場合に、
前記モバイル回線交換ネットワークに対して出力するＩｕＵＰ（Ｉｕ  Ｕｓｅｒ  Ｐｌａｎｅ）プロトコル上のフレーム番号が、前記端末の移動前と移動後で連続的に変化するように制御する処理を実行させるプログラム。
【付記１５】
【０１７５】
前記モバイル回線交換ネットワークに接続される端末と、前記ＩＭＳネットワーク側の先に接続される端末の音声圧縮符号化方式が互いに異なる場合、音声圧縮符号化方式を変換する処理を、前記コンピュータに実行させる付記１１乃至１４のいずれか１項に記載のプログラム。
【付記１６】
【０１７６】
呼制御部と変換部を備え、
前記変換部は、
制御・解析部と、
前記ＩＭＳネットワークと前記モバイル回線交換ネットワークのプロトコル変換を行うプロトコル変換部と、
前記ＩＭＳネットワーク向けのパケットのシーケンス番号とタイムスタンプ変更を変更するシーケンス番号・タイムスタンプ変更部と、
送信データをパケット化するパケット化部と、
前記ＩＭＳネットワークからの受信パケットを受信するパケット受信部と、
受信パケットの遅延のゆらぎを取り除くジッタバッファ部と、
を備え、
前記呼制御部は、前記ＩＭＳネットワークと前記モバイル回線交換ネットワークの一方のネットワークから受信した呼制御信号を他方のネットワークの呼制御信号に変換して他方のネットワークに出力し、
前記端末のロケーションに関する情報を受信し前記端末の移動によりゲートウェイ装置からＩＭＳネットワーク側に送出する該当チャネルのパケットのＩＰアドレスが変更となるか否かを判別し、
該当チャネルのパケットのＩＰアドレスが変更になる場合、送出先ＩＰアドレス変更指示を、前記パケット化部に出力するとともに、移動完了通知を、前記シーケンス番号・タイムスタンプ変更部に出力し、
さらに、前記モバイル回線交換ネットワークと前記ＩＭＳネットワークから入力した呼制御信号の情報を前記変換部の前記制御・解析部に出力し、
前記制御・解析部は、前記呼制御部から入力した情報に基づき、プロトコル変換の必要の有無を判別し、プロトコル変換が必要な場合には、変換情報を、チャネル毎に、前記プロトコル変換部に出力し、
前記シーケンス番号・タイムスタンプ変更部は、一つ前のシーケンス番号又はタイムスタンプを保持しておき、前記端末が移動してＩＰアドレスが変更になった場合には、前記制御・解析部から移動完了通知を入力し、移動完了通知時に異なるＩＰアドレスあてに送出するパケットのシーケンス番号又はタイムスタンプが、前記保持しておいたシーケンス番号又はタイムスタンプと連続的に変化するように設定し、
前記パケット化部は、前記端末が移動してＩＰアドレスが変更になる場合には、変更後のＩＰアドレスを、前記制御・解析部から入力し前記ＩＰアドレスあてにパケットを送出する、ことを特徴とする付記１記載のゲートウェイ装置。
【付記１７】
【０１７７】
前記呼制御部は、前記端末のロケーションに関する情報を受信し、前記端末の移動によりＩＭＳネットワーク側から受信する該当チャネルのパケットの送出元ＩＰアドレスが変更になるかどうかを判別し、
送出元ＩＰアドレスが変更になる場合は、前記呼制御部は、送出元ＩＰアドレス変更指示を前記パケット受信部に出力するとともに、移動完了通知を前記ジッタバッファ部に出力し、
前記パケット受信部は、前記ＩＭＳネットワークからパケットを受信し、前記端末が移動することにより、送出元ＩＰアドレスが変更になる場合には、前記制御・解析部から変更後のＩＰアドレスを入力し受信元の方路を切り替えた上でパケットを受信し、
前記ジッタバッファ部は、前記パケット受信部からパケットを入力し、前記端末が移動してＩＰアドレスが変更になった場合には、前記制御・解析部から移動完了通知を入力し、移動完了通知受信時に、前記ジッタバッファ部又はタイムスタンプ又はシーケンス番号の少なくとも一つの内容をクリアした上で、前記パケット受信部からパケットを入力し、前記プロトコル変換部に出力する、ことを特徴とする付記１６記載のゲートウェイ装置。
【付記１８】
【０１７８】
前記プロトコル変換部は、前記ＩＭＳネットワークからのパケットから前記モバイル回線交換ネットワークに出力するためのＩｕＵＰ（Ｉｕ  Ｕｓｅｒ  Ｐｌａｎｅ）プロトコルに変換し、
前記モバイル回線交換ネットワークに接続される端末が前記モバイル回線交換ネットワーク上でロケーションを移動した場合に、前記制御・解析部は、前記端末の移動完了通知を、前記ジッタバッファ部と前記プロトコル変換部に出力し、
前記プロトコル変換部は、移動完了通知が前記制御・解析部から入力された場合には、前記移動完了通知受信直後のＩｕＵＰフレーム番号をチェックし、ＩｕＵＰフレーム番号が移動完了通知入力直前のフレーム番号から連続的に変化しているか確認し、
ＩｕＵＰフレーム番号が連続的に変化していない場合には、ＩｕＵＰフレーム番号が連続になるように付け替える処理を行った上で、ＩｕＵＰプロトコルを前記モバイル回線交換ネットワークに送出する、ことを特徴とする付記１６記載のゲートウェイ装置。
【付記１９】
【０１７９】
前記プロトコル変換部と、前記シーケンス番号・タイムスタンプ変更部の間に、音声圧縮符号化方式の変換を行う音声トランスコーダを備えたことを特徴とする付記１６記載のゲートウェイ装置。
【付記２０】
【０１８０】
前記ジッタバッファ部と前記プロトコル変換部の間に、音声圧縮符号化方式の変換を行う音声トランスコーダを備えたことを特徴とする付記１９記載のゲートウェイ装置。
【付記２１】
【０１８１】
モバイル高速ネットワークとモバイル回線交換ネットワークとの間に配置され回線交換のプロトコルとパケット上のプロトコルとを相互に変換し音声通信を行うゲートウェイ装置であって、
前記モバイル高速ネットワークに接続する端末が前記モバイル高速ネットワーク上でロケーションを移動した場合に、
前記モバイル高速ネットワークに対して出力するパケットにおいて前記パケットのシーケンス番号とタイムスタンプの少なくとも一つが、前記端末の移動前と移動後で連続的に変化するように制御する手段を備えた、ことを特徴とするゲートウェイ装置。
【付記２２】
【０１８２】
モバイル高速ネットワークとモバイル回線交換ネットワークとの間に配置され回線交換のプロトコルとパケット上のプロトコルとを相互に変換し音声通信を行うゲートウェイ装置であって、
前記モバイル高速ネットワークに接続する端末が前記モバイル高速ネットワーク上でロケーションを移動した場合に、
前記モバイル高速ネットワークからパケットを受信してプロトコルを変換して前記変換後のプロトコルを前記モバイル回線交換ネットワークに出力するときに、
前記端末の移動完了時に、
前記端末からパケットを受信する受信バッファ、
タイムスタンプ、
シーケンス番号
の少なくとも一つをクリアした上で前記パケットを受信するように制御する手段を備えた、ことを特徴とするゲートウェイ装置。
【付記２３】
【０１８３】
モバイル高速ネットワークとモバイル回線交換ネットワークとの間に配置され回線交換のプロトコルとパケット上のプロトコルとを相互に変換し音声通信を行うゲートウェイ装置であって、
前記モバイル回線交換ネットワークに接続する端末が前記モバイル回線交換ネットワーク上でロケーションを移動した場合に、前記モバイル回線交換ネットワークに対して出力する回線交換プロトコル上のフレーム番号が前記端末の移動前と移動後で連続的に変化するように制御する手段を備えた、ことを特徴とするゲートウェイ装置。
【付記２４】
【０１８４】
前記モバイル回線交換ネットワークと前記モバイル高速ネットワークの各々に接続される端末の音声圧縮符号化方式が互いに異なる場合、音声圧縮符号化方式の変換を行う、ことを特徴とする付記２１乃至２３のいずれか１項に記載のゲートウェイ装置。
【付記２５】
【０１８５】
前記モバイル高速ネットワークが、ＬＴＥ（Ｌｏｎｇ  Ｔｅｒｍ  Ｅｖｏｌｕｔｉｏｎ）、ＥＰＣ（Ｅｖｏｌｖｅｄ  Ｐａｃｋｅｔ  Ｃｏｒｅ）、ＵＭＡ（Ｕｌｔｒａ  Ｍｏｂｉｌｅ  Ａｃｃｅｓｓ）、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）、ＨＳＰＡ（Ｈｉｇｈ  Ｓｐｅｅｄ  Ｐａｃｋｅｔ  Ａｃｃｅｓｓ）、ＷｉＭａｘの少なくとも一つを含むネットワークである、ことを特徴とする付記２１から付記２４のいずれか１項に記載のゲートウェイ装置。
【付記２６】
【０１８６】
モバイル高速ネットワークとモバイル回線交換ネットワークとの間で回線交換のプロトコルとパケット上のプロトコルとを相互に変換し音声通信を行うゲートウェイ方法であって、
前記モバイル高速ネットワークに接続する端末が前記モバイル高速ネットワーク上でロケーションを移動した場合に、
前記モバイル高速ネットワークに対して出力するパケットにおいて前記パケットのシーケンス番号とタイムスタンプの少なくとも一つが、前記端末の移動前と移動後で連続的に変化するようにした、ことを特徴とするゲートウェイ方法。
【付記２７】
【０１８７】
モバイル高速ネットワークとモバイル回線交換ネットワークとの間で回線交換のプロトコルとパケット上のプロトコルとを相互に変換し音声通信を行うゲートウェイ方法であって、
前記モバイル高速ネットワークに接続する端末が前記モバイル高速ネットワーク上でロケーションを移動した場合に、
前記モバイル高速ネットワークからパケットを受信してプロトコルを変換して前記変換後のプロトコルを前記モバイル回線交換ネットワークに出力するときに、
前記端末の移動完了時に、
前記端末からパケットを受信する受信バッファ、
タイムスタンプ、
シーケンス番号
の少なくとも一つをクリアした上で前記パケットを受信するようにした、ことを特徴とするゲートウェイ方法。
【付記２８】
【０１８８】
モバイル高速ネットワークとモバイル回線交換ネットワークとの間で回線交換のプロトコルとパケット上のプロトコルとを相互に変換し音声通信を行うゲートウェイ方法であって、
前記モバイル回線交換ネットワークに接続する端末が前記モバイル回線交換ネットワーク上でロケーションを移動した場合に前記モバイル回線交換ネットワークに対して出力する回線交換プロトコル上のフレーム番号が前記端末の移動前と移動後で連続的に変化するようにした、ことを特徴とするゲートウェイ方法。
【付記２９】
【０１８９】
前記モバイル回線交換ネットワークと前記モバイル高速ネットワークの各々に接続される端末の音声圧縮符号化方式が互いに異なる場合、ゲートウェイで音声圧縮符号化方式の変換を行う、ことを特徴とする付記２６乃至２８のいずれか１項に記載のゲートウェイ方法。
【付記３０】
【０１９０】
前記モバイル高速ネットワークが、ＬＴＥ（Ｌｏｎｇ  Ｔｅｒｍ  Ｅｖｏｌｕｔｉｏｎ）、ＥＰＣ（Ｅｖｏｌｖｅｄ  Ｐａｃｋｅｔ  Ｃｏｒｅ）、ＵＭＡ（Ｕｌｔｒａ  Ｍｏｂｉｌｅ  Ａｃｃｅｓｓ）、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）、ＨＳＰＡ（Ｈｉｇｈ  Ｓｐｅｅｄ  Ｐａｃｋｅｔ  Ａｃｃｅｓｓ）、ＷｉＭａｘの少なくとも一つを含むネットワークである、ことを特徴とする付記２６乃至２９のいずれか１項に記載のゲートウェイ方法。
【付記３１】
【０１９１】
モバイル高速ネットワークとモバイル回線交換ネットワークとの間に配置され回線交換のプロトコルとパケット上のプロトコルとを相互に変換し音声通信を行うゲートウェイ装置を構成するコンピュータに、
前記モバイル高速ネットワークに接続する端末が前記モバイル高速ネットワーク上でロケーションを移動した場合に、
前記モバイル高速ネットワークに対して出力するパケットにおいて前記パケットのシーケンス番号とタイムスタンプの少なくとも一つが、前記端末の移動前と移動後で連続的に変化するように制御する処理を実行させるプログラム。
【付記３２】
【０１９２】
モバイル高速ネットワークとモバイル回線交換ネットワークとの間に配置され回線交換のプロトコルとパケット上のプロトコルとを相互に変換し音声通信を行うゲートウェイ装置を構成するコンピュータに、
前記モバイル高速ネットワークに接続する端末が前記モバイル高速ネットワーク上でロケーションを移動した場合に、
前記モバイル高速ネットワークからパケットを受信してプロトコルを変換して前記変換後のプロトコルを前記モバイル回線交換ネットワークに出力するときに、
前記端末の移動完了時に、
前記端末からパケットを受信する受信バッファ、
タイムスタンプ、
シーケンス番号
の少なくとも一つをクリアした上で前記パケットを受信するように制御する処理を実行させるプログラム。
【付記３３】
【０１９３】
モバイル高速ネットワークとモバイル回線交換ネットワークとの間に配置され回線交換のプロトコルとパケット上のプロトコルとを相互に変換し音声通信を行うゲートウェイ装置を構成するコンピュータに、
前記モバイル回線交換ネットワークに接続する端末が前記モバイル回線交換ネットワーク上でロケーションを移動した場合に、
前記モバイル回線交換ネットワークに対して出力する回線交換プロトコル上のフレーム番号が前記端末の移動前と移動後で連続的に変化するように制御する処理を実行させるプログラム。
【付記３４】
【０１９４】
前記モバイル回線交換ネットワークと前記モバイル高速ネットワークの各々に接続される端末の音声圧縮符号化方式が互いに異なる場合、音声圧縮符号化方式を変換する処理を前記コンピュータに実行させる付記３１乃至３３のいずれか１項に記載のプログラム。
【付記３５】
【０１９５】
前記モバイル高速ネットワークが、ＬＴＥ（Ｌｏｎｇ  Ｔｅｒｍ  Ｅｖｏｌｕｔｉｏｎ）、ＥＰＣ（Ｅｖｏｌｖｅｄ  Ｐａｃｋｅｔ  Ｃｏｒｅ）、ＵＭＡ（Ｕｌｔｒａ  Ｍｏｂｉｌｅ  Ａｃｃｅｓｓ）、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）、ＨＳＰＡ（Ｈｉｇｈ  Ｓｐｅｅｄ  Ｐａｃｋｅｔ  Ａｃｃｅｓｓ）、ＷｉＭａｘの少なくとも一つを含むネットワークである、付記３１乃至３４のいずれか１項に記載のプログラム。
【付記３６】
【０１９６】
呼制御部と変換部を備え、
前記変換部は、制御・解析部と、
前記モバイル高速ネットワークと前記モバイル回線交換ネットワークの間のプロトコルの変換を行うプロトコル変換部と、
パケットのシーケンス番号とタイムスタンプ変更を変更するシーケンス番号・タイムスタンプ変更部と、
前記モバイル高速ネットワーク向けの送信データをパケット化するパケット化部と、
前記モバイル高速ネットワークからの受信パケットを受信するパケット受信部と、
前記受信パケットの遅延のゆらぎを取り除くジッタバッファ部と、
を備え、
前記呼制御部は、前記モバイル高速ネットワークとモバイル回線交換ネットワークの一方のネットワークから受信した呼制御信号を、他方のネットワークの呼制御信号に変換して他方のネットワークに出力し、
前記端末のロケーションに関する情報を受信し前記端末の移動によりゲートウェイ装置から前記モバイル高速ネットワーク側に送出する該当チャネルのパケットのＩＰアドレスが変更となるか否かを判別し、
該当チャネルのパケットの変更になる場合、送出先ＩＰアドレス変更指示を、前記パケット化部に出力するとともに、移動完了通知を、前記シーケンス番号・タイムスタンプ変更部に出力し、
さらにモバイル回線交換ネットワークと前記モバイル高速ネットワークから入力した呼制御信号の情報を変換部の制御・解析部に出力し、
前記制御・解析部は、前記呼制御部から入力した情報に基づき、プロトコル変換の必要の有無を判別し、プロトコル変換が必要な場合には、変換情報を、チャネル毎に、プロトコル変換部に出力し、
前記シーケンス番号・タイムスタンプ変更部は、一つ前のシーケンス番号またはタイムスタンプを保持しておき、前記端末が移動してＩＰアドレスが変更になった場合には、前記制御・解析部から移動完了通知を入力し、移動完了通知時に異なるＩＰアドレスあてに送出するパケットのシーケンス番号またはタイムスタンプが、前記保持しておいたシーケンス番号またはタイムスタンプと連続的に変化するように設定し、
前記パケット化部は、前記端末が移動してＩＰアドレスが変更になる場合には、変更後のＩＰアドレスを前記制御・解析部から入力し前記ＩＰアドレスあてにパケットを送出する、ことを特徴とする付記２１記載のゲートウェイ装置。
【付記３７】
【０１９７】
前記呼制御部は、前記端末のロケーションに関する情報を受信し、前記端末の移動により前記モバイル高速ネットワーク側から受信する該当チャネルのパケットの送出元ＩＰアドレスが変更になるかどうかを判別し、
送出元ＩＰアドレスが変更になる場合は、前記呼制御部は、送出元ＩＰアドレス変更指示をパケット受信部に出力するとともに、移動完了通知を前記ジッタバッファ部に出力し、
前記パケット受信部は、前記モバイル高速ネットワークからパケットを受信し、前記端末が移動することにより、送出元ＩＰアドレスが変更になる場合には、前記制御・解析部から変更後のＩＰアドレスを入力し受信元の方路を切り替えた上でパケットを受信し、
前記ジッタバッファ部は、前記パケット受信部からパケットを入力し、前記端末が移動してＩＰアドレスが変更になった場合には、前記制御・解析部から移動完了通知を入力し、移動完了通知受信時に、前記ジッタバッファ部またはタイムスタンプまたはシーケンス番号の少なくとも一つの内容をクリアした上で、前記パケット受信部からパケットを入力し、前記プロトコル変換部に出力する、ことを特徴とする付記３６記載のゲートウェイ装置。
【付記３８】
【０１９８】
前記プロトコル変換部は、前記モバイル高速ネットワークからのパケットから前記モバイル回線交換ネットワークに出力するためのＩｕＵＰ（Ｉｕ  Ｕｓｅｒ  Ｐｌａｎｅ）プロトコルに変換し、
前記モバイル回線交換ネットワークに接続される端末が前記モバイル回線交換ネットワーク上でロケーションを移動した場合に、前記制御・解析部は、前記端末の移動完了通知を、前記ジッタバッファ部と前記プロトコル変換部に出力し、
前記プロトコル変換部は、移動完了通知が前記制御・解析部から入力された場合は、前記移動完了通知受信直後のＩｕＵＰフレーム番号をチェックし、移動完了通知入力直前のフレーム番号から連続的に変化しているか確認し、
ＩｕＵＰフレーム番号が連続的に変化していない場合には、ＩｕＵＰフレーム番号が連続になるように付け替える処理を行った上で、ＩｕＵＰプロトコルを前記モバイル回線交換ネットワークに送出する、ことを特徴とする付記３６記載のゲートウェイ装置。
【付記３９】
【０１９９】
前記プロトコル変換部と、前記シーケンス番号・タイムスタンプ変更部の間に、音声圧縮符号化方式の変換を行う音声トランスコーダを備えたことを特徴とする付記３６記載のゲートウェイ装置。
【付記４０】
【０２００】
前記ジッタバッファ部と前記プロトコル変換部の間に、音声圧縮符号化方式の変換を行う音声トランスコーダを備えたことを特徴とする付記３９記載のゲートウェイ装置。
【符号の説明】
【０２０１】
１１０、１１５  ゲートウェイ装置
１２０、１２５、１５０、１５５  携帯端末
１３０、１３５  モバイル回線交換ネットワーク
１４０  ＩＭＳネットワーク
１４０’  モバイル高速ネットワーク
１６０  呼制御部
１７０、２５０、２７０  変換部
１７２  制御・解析部
１７５、２００  プロトコル変換部
１７６  パケット化部
１７７  ジッタバッファ部
１７８  ＳＮ・ＴＳ変更部
１７９  パケット受信部
１９０  音声トランスコーダ
【図１】
2010079789.tif 000003
【図２】
2010079789.tif 000004
【図３】
2010079789.tif 000005
【図４】
2010079789.tif 000006
【図５】
2010079789.tif 000007
【図６】
2010079789.tif 000008
【図７】
2010079789.tif 000009
【図８】
2010079789.tif 000010
【図９】
2010079789.tif 000011
【手続補正書】
【提出日】平成23年7月5日(2011.7.5)
【手続補正１】
【補正対象書類名】特許請求の範囲
【補正対象項目名】全文
【補正方法】変更
【補正の内容】
【特許請求の範囲】
【請求項１】
モバイル回線交換ネットワークとパケット通信ネットワークとの間に配置され、回線交換プロトコルとパケット通信プロトコルとを相互に変換し、音声通信を行うゲートウェイ装置であって、
前記パケット通信ネットワーク、又は、
前記パケット通信ネットワークの先のネットワーク
に接続される第１の端末がロケーションを移動した場合に、前記第１の端末に向け前記パケット通信ネットワークに対して出力するパケットにおいてシーケンス番号とタイムスタンプの少なくとも一つが、前記第１の端末の移動前と移動後で連続的に変化するように制御する手段を備えた、ことを特徴とするゲートウェイ装置。
【請求項２】
前記パケット通信ネットワークからパケットを受信して回線交換プロトコルに変換し前記変換後のプロトコルを前記モバイル回線交換ネットワークに出力するときに、前記第１の端末がロケーションを移動した場合に、
前記第１の端末の移動完了時に、
前記パケットを受信する受信バッファ、
ジッタバッファ、
タイムスタンプ、
シーケンス番号
の少なくとも一つをクリアした上で、前記パケットを受信するように制御する手段を備えた、ことを特徴とする請求項１記載のゲートウェイ装置。
【請求項３】
前記モバイル回線交換ネットワークに接続される第２の端末が、前記第１の端末と音声通信を行い、前記モバイル回線交換ネットワーク上でロケーションを移動した場合に、前記第１の端末に向け前記パケット通信ネットワークに対して出力するパケットにおいて、前記パケットのシーケンス番号とタイムスタンプの少なくとも一つが、前記第２の端末の移動前と移動後で、連続的に変化するように制御する手段を備えた、ことを特徴とする請求項１又は２記載のゲートウェイ装置。
【請求項４】
前記第２の端末が前記モバイル回線交換ネットワーク上でロケーションを移動した場合に、前記第２の端末に向け前記モバイル回線交換ネットワークに対して出力する回線交換プロトコル上のフレームの番号が、前記第２の端末の移動前と移動後で、連続的に変化するように制御する手段を備えた、ことを特徴とする請求項３記載のゲートウェイ装置。
【請求項５】
前記第２の端末と前記前記第１の端末の音声圧縮符号化方式が互いに異なる場合、音声圧縮符号化方式の変換を行う、ことを特徴とする請求項３又は４記載のゲートウェイ装置。
【請求項６】
前記パケット通信ネットワークが、ＩＭＳ（ＩＰ  Ｍｕｌｔｉｍｅｄｉａ  Ｓｕｂｓｙｓｔｅｍ）ネットワークおよびモバイル高速ネットワークの少なくとも１つを含み、
前記第１の端末は、前記ＩＭＳネットワークの先のモバイル回線交換ネットワークおよび前記モバイル高速ネットワークの少なくとも１つと接続される、ことを特徴とする請求項１乃至５のいずれか１項に記載のゲートウェイ装置。
【請求項７】
回線交換により端末に接続されるモバイル回線交換ネットワークと、
パケット通信を行うパケット通信ネットワークと、
請求項１乃至６のいずれか１項に記載のゲートウェイ装置と、を備えたことを特徴とする通信システム。
【請求項８】
モバイル回線交換ネットワークとパケット通信ネットワークとの間で回線交換のプロトコルとパケット通信プロトコルとを相互に変換し音声通信を行うゲートウェイ方法であって、
前記パケット通信ネットワーク、又は、
前記パケット通信ネットワークの先のネットワーク
に接続される第１の端末がロケーションを移動した場合に、前記第１の端末に向け前記パケット通信ネットワークに対して出力するパケットにおいて、シーケンス番号とタイムスタンプの少なくとも一つが、前記第１の端末の移動前と移動後で、連続的に変化するように制御する、ことを特徴とするゲートウェイ方法。
【請求項９】
前記パケット通信ネットワークからパケットを受信して回線交換プロトコルに変換して前記変換後のプロトコルを前記モバイル回線交換ネットワークに出力するときに、前記パケット通信ネットワーク又は前記パケット通信ネットワークの先のネットワークに接続される前記第１の端末がロケーションを移動した場合に、
前記第１の端末の移動完了時に、
前記パケットを受信する受信バッファ、
ジッタバッファ、
タイムスタンプ、
シーケンス番号
の少なくとも一つをクリアした上で前記パケットを受信するように制御する、ことを特徴とする請求項８記載のゲートウェイ方法。
【請求項１０】
前記モバイル回線交換ネットワークに接続される第２の端末が、前記第１の端末と通信を行い、前記モバイル回線交換ネットワーク上でロケーションを移動した場合に、前記第１の端末に向け前記パケット通信ネットワークに対して出力するパケットにおいて、前記パケットのシーケンス番号とタイムスタンプの少なくとも一つが、前記第２の端末の移動前と移動後で、連続的に変化するように制御する、ことを特徴とする請求項８又は９記載のゲートウェイ方法。
【手続補正２】
【補正対象書類名】明細書
【補正対象項目名】０００５
【補正方法】変更
【補正の内容】
【０００５】
今後は、さらに高速伝送が可能で下り方向１００Ｍｂｐｓ（Ｍｅｇａ  ｂｉｔｓ／ｓｅｃ）、上り方向５０Ｍｂｐｓ以上を目指すＬＴＥ（Ｌｏｎｇ  Ｔｅｒｍ  Ｅｖｏｌｕｔｉｏｎ）、ＥＰＣ（Ｅｖｏｌｖｅｄ  Ｐａｃｋｅｔ  Ｃｏｒｅ）、ＵＭＢ（Ｕｌｔｒａ  Ｍｏｂｉｌｅ  Ｂｒｏａｄｂａｎｄ）、モバイルＷｉＭａｘ等が導入されていく流れである。
【手続補正３】
【補正対象書類名】明細書
【補正対象項目名】０１０２
【補正方法】変更
【補正の内容】
【０１０２】
なお、本発明は、上記実施例で説明した、モバイル回線交換ネットワークとＩＭＳ（ＩＰ  Ｍｕｌｔｉｍｅｄｉａ  Ｓｕｂｓｙｓｔｅｍ）ネットワークとの間に配置されたゲートウェイ装置への適用にのみ限定されるものでなく、例えばモバイル高速ネットワークとモバイル回線交換ネットワークとの間に配置されたゲートウェイ装置に対しても同様にして適用可能である。ここで、モバイル高速ネットワークは、例えばＬＴＥ（Ｌｏｎｇ  Ｔｅｒｍ  Ｅｖｏｌｕｔｉｏｎ）、ＥＰＣ（Ｅｖｏｌｖｅｄ  Ｐａｃｋｅｔ  Ｃｏｒｅ）、ＵＭＢ（Ｕｌｔｒａ  Ｍｏｂｉｌｅ  Ｂｒｏａｄｂａｎｄ）、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）、ＨＳＰＡ（Ｈｉｇｈ  Ｓｐｅｅｄ  Ｐａｃｋｅｔ  Ａｃｃｅｓｓ）、ＷｉＭａｘの少なくとも一つを含むネットワークである。以下に、モバイル高速ネットワークとモバイル回線交換ネットワークとの間に配置され、回線交換のプロトコルとパケット上のプロトコルとを相互に変換し音声通信を行うゲートウェイ装置の実施例について説明する。
【手続補正４】
【補正対象書類名】明細書
【補正対象項目名】０１０５
【補正方法】変更
【補正の内容】
【０１０５】
携帯端末１５０は、ＩＰベースのモバイル高速ネットワーク１４０’（例えば、ＬＴＥやＥＰＣやＵＭＢやＨＳＤＰＡやＨＳＰＡやモバイルＷｉＭａｘ等）に接続されるＶｏＩＰ音声端末を示している。
【手続補正５】
【補正対象書類名】明細書
【補正対象項目名】０１８５
【補正方法】変更
【補正の内容】
【０１８５】
前記モバイル高速ネットワークが、ＬＴＥ（Ｌｏｎｇ  Ｔｅｒｍ  Ｅｖｏｌｕｔｉｏｎ）、ＥＰＣ（Ｅｖｏｌｖｅｄ  Ｐａｃｋｅｔ  Ｃｏｒｅ）、ＵＭＢ（Ｕｌｔｒａ  Ｍｏｂｉｌｅ  Ｂｒｏａｄｂａｎｄ）、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）、ＨＳＰＡ（Ｈｉｇｈ  Ｓｐｅｅｄ  Ｐａｃｋｅｔ  Ａｃｃｅｓｓ）、ＷｉＭａｘの少なくとも一つを含むネットワークである、ことを特徴とする付記２１から付記２４のいずれか１項に記載のゲートウェイ装置。
【手続補正６】
【補正対象書類名】明細書
【補正対象項目名】０１９０
【補正方法】変更
【補正の内容】
【０１９０】
前記モバイル高速ネットワークが、ＬＴＥ（Ｌｏｎｇ  Ｔｅｒｍ  Ｅｖｏｌｕｔｉｏｎ）、ＥＰＣ（Ｅｖｏｌｖｅｄ  Ｐａｃｋｅｔ  Ｃｏｒｅ）、ＵＭＢ（Ｕｌｔｒａ  Ｍｏｂｉｌｅ  Ｂｒｏａｄｂａｎｄ）、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）、ＨＳＰＡ（Ｈｉｇｈ  Ｓｐｅｅｄ  Ｐａｃｋｅｔ  Ａｃｃｅｓｓ）、ＷｉＭａｘの少なくとも一つを含むネットワークである、ことを特徴とする付記２６乃至２９のいずれか１項に記載のゲートウェイ方法。
【手続補正７】
【補正対象書類名】明細書
【補正対象項目名】０１９５
【補正方法】変更
【補正の内容】
【０１９５】
前記モバイル高速ネットワークが、ＬＴＥ（Ｌｏｎｇ  Ｔｅｒｍ  Ｅｖｏｌｕｔｉｏｎ）、ＥＰＣ（Ｅｖｏｌｖｅｄ  Ｐａｃｋｅｔ  Ｃｏｒｅ）、ＵＭＢ（Ｕｌｔｒａ  Ｍｏｂｉｌｅ  Ｂｒｏａｄｂａｎｄ）、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）、ＨＳＰＡ（Ｈｉｇｈ  Ｓｐｅｅｄ  Ｐａｃｋｅｔ  Ａｃｃｅｓｓ）、ＷｉＭａｘの少なくとも一つを含むネットワークである、付記３１乃至３４のいずれか１項に記載のプログラム。
【国際調査報告】
2010079789.tif 000012
2010079789.tif 000013